(57)【要約】【解決手段】利用者への提供品を追跡するシステムおよび方法が開示される。システムは、提供品に固定された識別子またはタグと、識別子に応答指令信号を送るためのコンピュータシステムと、コンピュータシステムと通信する個人デバイスとを含み、識別子デバイスと関連づけられた一意的な識別情報を検出して利用者への提供品の提供を判断するために、利用者が提供品を処方されると個人デバイスは利用者によって保持される。本方法は、一意的な署名を提供品に生成する識別可能タグを取り付けるステップと、利用者に提供する頃に、タグに応答指令信号を送るステップと、識別可能タグの検出を通じて、利用者が提供品を処方されたことを判断するステップとを含む。
2013529117.tif 000002
【特許請求の範囲】
【請求項１】
製造者から患者に提供される薬を追跡し、医療提供者が前記薬の製造元を判断することを可能にし、前記薬の正しい種類と正しい服用量との少なくとも１つが前記患者に提供されたことを判断するためのコンピュータシステムであって、
プロセッサを備え、
該プロセッサは、
任意の用量を有する薬に固定された識別子デバイスにおける一意的な識別情報を受信するように動作して、前記識別子デバイスは前記製造者と前記薬の少なくとも１つに関連づけられた前記識別情報を有しており、
コンピュータおよび前記患者と通信する患者インターフェースデバイスから情報を受信するように動作して、前記患者が前記薬を服用するときに、前記患者インターフェースデバイスは前記識別子デバイスに関連づけられた前記識別情報を検出し、前記患者に前記薬が提供されたことを判断するように動作しており、
前記患者インターフェースデバイスを介して検出された前記識別子デバイスに関連づけられた前記識別情報と、前記患者インターフェースデバイスを介して前記患者への前記薬の提供の判断とを受信するよう動作し、および、
少なくとも前記識別子デバイスの識別情報に基づいて前記薬の製造元および前記薬の種類を判断するよう動作することを特徴とするコンピュータシステム。
【請求項２】
前記プロセッサは前記識別子デバイスに応答指令信号を送るように動作することを特徴とする請求項１に記載のコンピュータシステム。
【請求項３】
前記識別子デバイスは回路を具備するタグを備え、前記タグは前記薬に固定され、前記プロセッサは前記タグから前記識別情報を読み取るよう動作することを特徴とする請求項１に記載のコンピュータシステム。
【請求項４】
前記タグは錠剤の形式で任意の用量を有する薬に固定されることを特徴とする請求項３に記載のコンピュータシステム。
【請求項５】
前記タグは前記薬を提供するために構成された注射器に固定され、前記注射器は空気に曝されると作動する安全部品を備えることを特徴とする請求項３に記載のコンピュータシステム。
【請求項６】
前記注射器は針を備え、前記針は前記タグに結合された少なくとも１つの接触点を備えることを特徴とする請求項５に記載のコンピュータシステム。
【請求項７】
前記プロセッサはデータセンタのデータベースと通信して、前記患者についての医療情報の検索と、前記患者に処方されるべき前記薬に関連した情報の提供との少なくとも１つを行うよう動作することを特徴とする請求項１に記載のコンピュータシステム。
【請求項８】
前記プロセッサは、
前記データセンタのデータベースおよび処理システムの少なくとも１つと通信するように動作し、
前記処理システムに情報を送信するように動作し、および
前記処理システムから情報を受信するように動作して、前記処理システムは前記データセンタの前記データベース内の前記情報にアクセスして前記コンピュータを通じて前記患者に前記情報を提供するように動作することを特徴とする請求項７に記載のコンピュータシステム。
【請求項９】
前記プロセッサは、前記患者に前記薬を投与する前に前記医療提供者によって選択された前記種類と用量との少なくとも１つを検証するように動作することを特徴とする請求項１に記載のコンピュータシステム。
【請求項１０】
前記プロセッサは、前記識別子デバイスに接続された質問ユニットと通信するように動作し、前記質問ユニットは前記薬に固定された前記識別子デバイスに応答指令信号を送り、前記薬の製造元と前記薬の種類を判断するために前記識別子デバイスの識別情報を受信するように動作し、前記コンピュータは前記質問ユニットに応答指令信号を送り、該質問ユニットから前記識別子デバイスの識別情報を受信するように動作することを特徴とする請求項１に記載のコンピュータシステム。
【請求項１１】
前記プロセッサが、
前記質問ユニットのメモリと通信するように動作し、および
前記質問ユニットの前記メモリに格納された前記識別子デバイスの識別情報を受信するように動作することを特徴とする請求項１０に記載のコンピュータシステム。
【請求項１２】
前記プロセッサは前記患者インターフェースデバイスから生体測定パラメータを受信するように動作し、前記患者は前記生体測定パラメータによって識別されることを特徴とする請求項１に記載のコンピュータシステム。
【請求項１３】
前記プロセッサは前記患者インターフェースデバイスのカメラによって取り込まれた前記患者の画像を受信するように動作することを特徴とする請求項１に記載のコンピュータシステム。
【請求項１４】
前記患者と関連づけられた情報を提供するためのディスプレイを備え、
前記情報は、前記患者の画像、前記患者の病歴、および前記患者に提供するための薬の次の種類と服用量のいずれかを備えることを特徴とする請求項１に記載のコンピュータシステム。
【請求項１５】
製造者から患者に提供される薬を追跡し、医療提供者が前記薬の製造元を判断することを可能にし、前記薬の正しい種類と正しい用量の少なくとも１つが前記患者に提供されたことを判断するためのコンピュータによって実行される方法であって、
任意の用量を有する薬に固定された識別子デバイスにおける一意的な識別情報をプロセッサによって受信するステップであって、前記識別子デバイスは前記製造者と前記薬の少なくとも１つに関連づけられた前記識別情報を有するステップ、
前記コンピュータおよび前記患者と通信する患者インターフェースデバイスから情報を前記プロセッサによって受信するステップであって、前記患者が前記薬を服用するときに、前記患者インターフェースデバイスは前記識別子デバイスに関連づけられた前記識別情報を検出し、前記患者に前記薬が提供されたことを判断するように動作するステップ、
前記患者インターフェースデバイスを介して検出された前記識別子デバイスに関連づけられた前記識別情報と、前記患者インターフェースデバイスを介して前記患者への前記薬の提供の判断とを前記プロセッサによって受信するステップ、および
少なくとも前記識別子デバイスの識別情報に基づいて前記薬の製造元および前記薬の種類を判断するステップを有することを特徴とする方法。
【請求項１６】
前記プロセッサによって前記識別子デバイスに応答指令信号を送るステップを有することを特徴とする請求項１５に記載の方法。
【請求項１７】
前記識別子デバイスは回路を具備するタグを備え、前記タグは前記薬に固定され、前記プロセッサによって前記タグから前記識別情報を受信するステップを有することを特徴とする請求項１５に記載の方法。
【請求項１８】
前記タグは錠剤の形式で任意の用量を有する薬に固定されることを特徴とする請求項１７に記載の方法。
【請求項１９】
前記タグは前記薬を提供するために構成された注射器に固定され、前記注射器は空気に曝されると作動する安全部品を備えることを特徴とする請求項１７に記載の方法。
【請求項２０】
前記注射器は針を備え、前記針は前記タグに結合された少なくとも１つの接触点を備えることを特徴とする請求項１９に記載の方法。
【請求項２１】
データセンタのデータベースから前記患者についての医療情報を前記プロセッサによって検索するステップ、および
前記患者に処方されるべき前記薬に関連した情報を前記プロセッサによって提供するステップの少なくとも１つを有することを特徴とする請求項１５に記載の方法。
【請求項２２】
前記プロセッサによって前記処理システムに情報を送信するステップ、および
前記プロセッサによって前記処理システムから情報を受信するステップであって、前記処理システムは前記データセンタの前記データベース内の前記情報にアクセスして前記コンピュータを通じて前記患者に前記情報を提供するように動作するステップを有することを特徴とする請求項２１に記載の方法。
【請求項２３】
前記患者に前記薬を投与する前に前記医療提供者によって選択された前記種類と用量の少なくとも１つを前記プロセッサによって検証するステップを有することを特徴とする請求項１５に記載の方法。
【請求項２４】
前記識別子デバイスに接続された質問ユニットを動作させるように前記プロセッサによって応答指令信号を送るステップであって、前記質問ユニットは前記薬に固定された前記識別子デバイスに応答指令信号を送り、前記薬の製造元と前記薬の種類を判断するために前記識別子デバイスの識別情報を受信するように動作するステップ、および
前記質問ユニットから前記識別子デバイスの識別情報を前記コンピュータによって受信するステップを有することを特徴とする請求項１５に記載の方法。
【請求項２５】
前記プロセッサが前記質問ユニットのメモリと通信するステップ、および
前記質問ユニットの前記メモリに格納された前記識別子デバイスの識別情報を前記プロセッサによって受信するステップを有することを特徴とする請求項２４に記載の方法。
【請求項２６】
前記患者インターフェースデバイスから生体測定パラメータを前記プロセッサによって受信するステップであって、前記患者は前記生体測定パラメータによって識別されるステップを有することを特徴とする請求項１５に記載の方法。
【請求項２７】
前記患者インターフェースデバイスのカメラによって取り込まれた前記患者の画像を前記プロセッサによって受信するステップを有することを特徴とする請求項１５に記載の方法。
【請求項２８】
前記プロセッサに接続されたディスプレイで前記患者と関連づけられた情報を提供するステップであって、前記情報は、前記患者の画像、前記患者の病歴、および前記患者に提供するための薬の次の種類と服用量とのいずれかを備えるステップを有することを特徴とする請求項１５に記載の方法。
【請求項２９】
薬に固定された識別子デバイスに電気的に係合するよう構成された少なくとも１つの接触点であって、前記識別子デバイスは製造者と薬の少なくとも１つと関連づけられた一意的な識別情報を有する接触点、
前記識別情報を得るために前記識別子デバイスに応答指令信号を送るように動作する前記接触点に結合された質問ユニット、および
前記識別情報を送信するように動作する前記質問ユニットに接続された通信モジュールを備えることを特徴とする装置。
【請求項３０】
前記質問ユニットは前記識別子デバイスと関連づけられた前記識別情報を読み取るように動作することを特徴とする請求項２９に記載の装置。
【請求項３１】
前記通信モジュールは、前記通信モジュールと通信するコンピュータに、前記識別子デバイスと関連づけられた前記識別情報を送信するように動作することを特徴とする請求項３０に記載の装置。
【請求項３２】
前記識別子デバイスと関連づけられた前記識別情報を格納するために前記質問ユニットに接続されたメモリを備えることを特徴とする請求項３１に記載の装置。
【請求項３３】
前記質問ユニットは、回路を備えるタグから前記識別情報を読み取るよう動作し、前記タグは前記薬に固定されることを特徴とする請求項２９に記載の装置。
【請求項３４】
前記タグは錠剤の形式で任意の用量を有する薬に固定されることを特徴とする請求項３３に記載の装置。
【請求項３５】
前記タグは前記薬を提供するために構成された注射器に固定され、前記注射器は空気に曝されると作動する安全部品を備えることを特徴とする請求項３３に記載の装置。
【請求項３６】
前記注射器は針を備え、前記針は前記タグに結合された少なくとも１つの接触点を備えることを特徴とする請求項３５に記載の装置。
【請求項３７】
薬に固定された識別子デバイスと、前記質問ユニットに接続された少なくとも１つの接触点とを質問ユニットによって電気的に係合するステップであって、前記識別子デバイスは製造者と前記薬との少なくとも１つに関連づけられた一意的な識別情報を有するステップ、
前記識別情報のために前記識別子デバイスに応答指令信号を送るステップ、および
前記質問ユニットに接続された通信モジュールによって前記識別情報を送信するステップを有することを特徴とする方法。
【請求項３８】
前記質問ユニットによって前記識別子デバイスと関連づけられた前記識別情報を読み取るステップを有することを特徴とする請求項３７に記載の方法。
【請求項３９】
前記識別子デバイスと関連づけられた前記識別情報を、前記通信モジュールと通信するコンピュータに前記通信モジュールによって送信するステップを有することを特徴とする請求項３８に記載の方法。
【請求項４０】
前記質問ユニットによって前記識別子デバイスと関連づけられた前記識別情報をメモリに格納するステップであって、前記メモリは前記質問ユニットに接続されるステップを有することを特徴とする請求項３８に記載の方法。
【請求項４１】
前記識別子デバイスは、回路を具備するタグを備え、前記タグは任意の用量を有する前記薬に固定され、
前記質問ユニットによって前記タグから前記識別情報を受信するステップを有することを特徴とする請求項３７に記載の方法。
【請求項４２】
任意の用量を有する前記薬を提供するために注射器に固定されるタグを備え、前記注射器は空気に曝されると作動する安全部品を備え、
前記質問ユニットによって前記タグから前記識別情報を受信するステップを有することを特徴とする請求項３７に記載の方法。
【請求項４３】
任意の用量を有する前記薬を提供するために注射器に固定されるタグを備え、前記注射器は空気に曝されると作動する安全部品を備え、
前記質問ユニットによって前記タグから前記識別情報を受信するステップを有することを特徴とする請求項３７に記載の方法。
【請求項４４】
前記注射器は針を備え、前記針は前記タグに結合された少なくとも１つの接触点を備えることを特徴とする請求項４３に記載の方法。
【請求項４５】
患者が保持するように構成される外面を画定するハウジング、
該ハウジングの外面部分に露出した少なくとも１つの接触点であって、前記患者と関連づけられた生体測定情報を検出するために前記患者によって物理的に接触されるよう位置づけられ、前記患者と関連づけられた少なくとも１つの生理的パラメータを検出するように構成される接触点、
前記接触点に結合された制御モジュールであって、前記接触点は前記患者と関連づけられた前記生理的パラメータを取り込むために前記制御モジュールに結合される制御モジュール、および
通信モジュールと通信するコンピュータに前記生理的パラメータを送信するために前記制御ユニットに接続された通信モジュールを備えることを特徴とする患者インターフェースデバイス。
【請求項４６】
前記制御モジュールに接続された電源を備えることを特徴とする請求項４５に記載の患者インターフェースデバイス。
【請求項４７】
前記患者の画像を取り込むための画像生成ユニットを備え、前記画像生成ユニットは前記制御モジュールに接続され、前記患者の前記画像を取り込み、該画像を前記制御モジュールに送信するように構成されることを特徴とする請求項４５に記載の患者インターフェースデバイス。
【請求項４８】
前記患者が前記接触点と接触している間に前記患者の前記生理的パラメータに変化があることを前記接触点が検出し、前記制御モジュールが前記患者を流れる電流を検出すると、前記制御モジュールは前記患者の前記画像を取り込むために前記画像生成ユニットを作動するよう動作することを特徴とする請求項４７に記載の患者インターフェースデバイス。
【請求項４９】
患者がハウジングの外面部分に露出する少なくとも１つの接触点に接触するステップであって、前記少なくとも１つの接触点は前記患者と関連づけられた生体測定情報を検出するために前記患者によって物理的に接触されるよう位置づけられ、前記少なくとも１つの接触点は前記患者と関連づけられた少なくとも１つの生理的パラメータを検出するよう構成されるステップ、
前記患者と関連づけられた少なくとも１つの生理的パラメータを前記少なくとも１つの接触点に結合された制御モジュールによって取り込むステップ、および
前記制御ユニットに接続された通信モジュールによって前記通信モジュールと通信するコンピュータに前記少なくとも１つの生理的パラメータを送信するステップを有することを特徴とする方法。
【請求項５０】
前記少なくとも接触点によって前記患者と関連づけられた指紋を走査するステップ、および
前記制御モジュールによって指紋情報を判断するステップを有することを特徴とする請求項４９に記載の方法。
【請求項５１】
画像生成ユニットによって前記患者の画像を取り込むステップであって、前記画像生成ユニットは前記制御モジュールに接続されるステップ、および
前記画像生成ユニットによって取り込まれた前記患者の画像を前記制御モジュールに送信するステップを有することを特徴とする請求項４９に記載の方法。
【請求項５２】
前記患者が前記接触点と接触している間に前記患者の前記生理的パラメータに変化があることを前記接触点が検出し、前記制御モジュールが前記患者を通る電流を検出すると、前記制御モジュールによって前記患者の前記画像を取り込むために前記画像生成ユニットを作動するステップを有することを特徴とする請求項５１に記載の方法。
【発明の詳細な説明】
【技術分野】
【０００１】
本発明は、製造者から消費者まで製品を追跡するための電子システムに関し、特に、モバイル通信ユニットと、用量、適切な種類ならびに服用量、および患者への提供の情報源を判断するために医薬品に関連づけられた識別可能タグとを備える複数のデバイスに関する。
【先行技術文献】
【特許文献】
【０００２】
【特許文献１】米国特許出願公開第２００６／０２６５２４６号明細書
【発明の概要】
【発明が解決しようとする課題】
【０００３】
多くの場合、製造者から患者まで医薬品を追跡する必要がある。そうすることによって、医薬品の提供者または薬剤師は、医薬品が信頼のおける供給元からのものであり、偽物ではないことを確認することができる。さらに、医療施設へのアクセスが限られる多くの遠隔地において、ラベルに記載された情報を提供者が読み取ることや理解することができない場合もしばしばある。そのような状況において、提供者は、患者を識別し、特に様々な薬から選択可能である場合に、どんな薬を提供すべきかを判断するために、簡単で有効な方法を必要とする。
【０００４】
したがって、必要とされるものは、サプライチェーンに沿った製造者から患者への医薬品を追跡でき、患者への医薬品の実際の提供を判断できるシステムおよび方法である。
【課題を解決するための手段】
【０００５】
本開示は、製造者から患者への医薬品を追跡するためのシステムを含む。本発明は、患者への医薬品の提供を判断するためのシステムも含み、提供判断は、正しい服用および正しい量の提供を判断するためのシステムおよび方法を含む。本発明は、導電性流体を含むある環境内で機能することができる回路および部品を含むシステムを含む。そのような環境の一例は、ＩＶバッグを含む、溶液を有する密封バッグ等の、導電性流体を収容する容器の外部または内部である。他の例は、動物や人間等の生物の体中である。本発明の様々な態様によれば、システムの一部は摂取可能、または注入可能であり、したがって、患者によって服用可能であるか、患者に注入可能であるか、または、患者によって吸入可能である。
【０００６】
一態様において、コンピュータシステムは、製造者から患者への薬を追跡すること、医療提供者が薬の製造元を判断することを可能にすること、および、薬の種類と用量の少なくとも１つが患者に提供されたことを判断することを提供する。コンピュータシステムは以下のように動作するプロセッサを備える。プロセッサは任意の用量を有する薬に固定された識別子デバイスの一意的な識別情報を受信し、ここで、識別子デバイスは製造者と薬の少なくとも１つと関連づけられた一意的な識別情報を有し、コンピュータおよび患者と通信して患者インターフェースデバイスから情報を受信し、ここで、患者が薬を服用するときに、患者インターフェースデバイスは識別子デバイスと関連づけられた一意的な識別情報を検出し、患者への薬の提供を判断するために動作し、および、患者インターフェースデバイスを介して検出された識別子デバイスと関連づけられた、検出された一意的な識別情報と、患者インターフェースデバイスを介して患者への薬の提供の判断とを受信し、プロセッサは少なくとも識別子デバイスの一意的な識別情報に基づき薬の製造元と薬の種類とを判断するために動作する。
【０００７】
コンピュータシステムの別の態様において、プロセッサは識別子デバイスに応答指令信号を送るために動作する。
【０００８】
コンピュータシステムの別の態様において、識別子デバイスは回路を具備するタグを備え、タグは任意の用量を有する薬に固定され、プロセッサはタグから一意的な識別情報を読み取るために動作する。
【０００９】
コンピュータシステムの別の態様において、タグは錠剤の形式で任意の用量を有する薬に固定される。
【００１０】
コンピュータシステムの別の態様において、タグは任意の用量を有する薬を提供するために構成された注射器に固定され、注射器は空気に曝されると作動する安全部品を備える。
【００１１】
コンピュータシステムの別の態様において、注射器は針を備え、針はタグに結合された少なくとも１つの接触点を備える。
【００１２】
コンピュータシステムの別の態様において、プロセッサは、患者についての医療情報の検索と、患者に処方されるべき薬に関連した情報の提供との少なくとも１つを行うためにデータセンタのデータベースと通信するよう動作する。
【００１３】
コンピュータシステムの別の態様において、プロセッサは、データベースおよびデータセンタの処理システムの少なくとも１つと通信し、処理システムに情報を送信し、処理システムから情報を受信するよう動作し、処理システムはデータセンタのデータベース内の情報にアクセスし、コンピュータを通じて患者に情報を提供するよう動作する。
【００１４】
コンピュータシステムの別の態様において、患者に薬を投与する前に、プロセッサは医療提供者によって選択される種類および用量の少なくとも１つを検証するよう動作する。
【００１５】
コンピュータシステムの別の態様において、プロセッサは、識別子デバイスに接続された質問ユニットと通信するよう動作し、質問ユニットは薬に固定された識別子デバイスに応答指令信号を送り、識別子デバイスの一意的な識別情報を受信して薬の製造元と薬の種類を判断するよう動作し、コンピュータは質問ユニットに応答指令信号を送り、質問ユニットからの識別子の一意的な識別情報を受信するよう動作する。
【００１６】
コンピュータシステムの別の態様において、プロセッサは質問ユニットのメモリと通信し、質問ユニットのメモリに格納された識別子の一意的な識別情報を受信するよう動作する。
【００１７】
コンピュータシステムの別の態様において、プロセッサは患者インターフェースデバイスから生体測定パラメータを受信するよう動作し、生体測定パラメータが前記患者の識別を可能にする。
【００１８】
コンピュータシステムの別の態様において、プロセッサは患者インターフェースデバイスのカメラによって取り込まれた患者の画像を受信するよう動作する。
【００１９】
コンピュータシステムの別の態様において、患者と関連づけられた情報をディスプレイによって提供し、情報は患者の画像、患者の病歴、および患者に提供するための薬の次の種類と服用量のいずれかを備える。
【００２０】
一態様において、コンピュータ実施方法は、製造者から患者への薬を追跡し、医療提供者が薬の製造元を判断することを可能にし、薬の正しい種類および正しい用量の少なくとも１つが患者に提供されたことを判断することを提供し、コンピュータはプロセッサを備える。本方法は、任意の用量を有する薬に固定された識別子デバイスの一意的な識別情報をプロセッサによって受信するステップと、ここで、識別子デバイスは製造者と薬の少なくとも１つと関連づけられた一意的な識別情報を備え、コンピュータおよび患者と通信して患者インターフェースデバイスから情報をプロセッサによって受信するステップと、ここで、患者が薬を服用するときに、患者インターフェースデバイスは識別子デバイスと関連づけられた一意的な識別情報を検出し、患者への薬の提供を判断するために動作し、患者インターフェースデバイスから検出された識別子デバイスと関連づけられた、検出された一意的な識別情報と、患者インターフェースデバイスからの患者への薬の提供の判断とをプロセッサによって受信するステップと、少なくとも識別子デバイスの一意的な識別情報に基づき薬の製造元および薬の種類を判断するステップとを有する。
【００２１】
別の態様において、コンピュータ実施方法はプロセッサによって識別子デバイスに応答指令信号を送るステップを有する。
【００２２】
他に、コンピュータ実施方法はプロセッサによってタグからの一意的な識別情報を受信するステップを有し、識別子デバイスは回路を具備するタグを備え、タグは任意の用量を有する薬に固定される。
【００２３】
別の態様において、コンピュータ実施方法はプロセッサによってタグから一意的な識別情報を受信するステップを有し、タグは錠剤の形式で任意の用量を有する薬に固定される。
【００２４】
別の態様において、コンピュータ実施方法はプロセッサによってタグから一意的な識別情報を受信するステップを有し、タグは任意の用量を有する薬を提供するために構成された注射器に固定され、注射器は空気に曝されると作動する安全部品を備える。
【００２５】
別の態様において、コンピュータ実施方法はプロセッサによってタグから一意的な識別情報を受信するステップを有し、注射器は針を備え、針はタグに結合された少なくとも１つの接触点を備える。
【００２６】
別の態様において、コンピュータ実施方法は、プロセッサによってデータセンタのデータベースから患者についての医療情報を検索するステップと、患者に処方されるべき薬に関連した情報をプロセッサによって提供するステップとの少なくとも１つを有する。
【００２７】
別の態様において、コンピュータ実施方法は、プロセッサによって情報を処理システムに送信するステップと、プロセッサによって情報を処理システムから受信するステップとを有し、処理システムはデータセンタのデータベース内の情報にアクセスし、コンピュータを通じて患者に情報を提供するよう動作する。
【００２８】
別の態様において、コンピュータ実施方法は患者に薬を投与する前に医療提供者によって選択された種類と用量の少なくとも１つをプロセッサによって検証するステップを有する。
【００２９】
別の態様において、コンピュータ実施方法は、識別子デバイスに接続された質問ユニットを作動させる応答指令信号をプロセッサによって送るステップを有し、質問ユニットは薬に固定された識別子デバイスに応答指令信号を送り、薬の製造元と薬の種類を判断するために識別子デバイスの一意的な識別情報を受信するよう動作し、また、コンピュータ実施方法は質問ユニットから識別子の一意的な識別情報をコンピュータによって受信するステップを有する。
【００３０】
別の態様において、コンピュータ実施方法は、プロセッサによって質問ユニットのメモリと通信するステップと、プロセッサによって質問ユニットのメモリに格納された識別子の一意的な識別情報を受信するステップとを有する。
【００３１】
別の態様において、コンピュータ実施方法はプロセッサによって患者インターフェースデバイスから生体測定パラメータを受信するステップを有し、生体測定パラメータが前記患者の識別を可能にする。
【００３２】
別の態様において、コンピュータ実施方法はプロセッサによって患者インターフェースデバイスのカメラによって取り込まれた患者の画像を受信するステップを有する。
【００３３】
別の態様において、コンピュータ実施方法は、プロセッサに接続されたディスプレイに患者と関連づけられた情報を表示するステップを有し、情報は、患者の画像、患者の病歴、および患者に提供する薬の次の種類と服用量のいずれかを有する。
【００３４】
一態様において任意の装置が提供される。本装置は、薬に固定された識別子デバイスと電気的に係合するよう構成された少なくとも１つの接触点と、ここで識別子デバイスは製造者と薬の少なくとも１つと関連づけられた一意的な識別情報を備え、少なくとも１つの接触点に結合された質問ユニットと、ここで質問ユニットは一意的な識別情報を得るために識別子デバイスに応答指令信号を送るよう動作し、質問ユニットに接続された通信モジュールとを備え、ここで通信モジュールは一意的な識別情報を送信するよう動作する。
【００３５】
本装置の別の態様において、質問ユニットは識別子デバイスと関連づけられた一意的な識別情報を読み取るよう動作する。
【００３６】
別の態様において、通信モジュールは通信モジュールと通信するコンピュータに識別子デバイスと関連づけられた一意的な識別情報を送信するよう動作する。
【００３７】
本装置の別の態様において、本装置は、識別子デバイスと関連づけられた一意的な識別情報を格納するために、質問ユニットに接続されたメモリを備える。
【００３８】
別の態様において、質問ユニットは回路を備えるタグから一意的な識別情報を読み取るよう動作し、タグは任意の用量を有する薬に固定される。
【００３９】
本装置の別の態様において、質問ユニットはタグから一意的な識別情報を読み取るよう動作し、タグは錠剤の形式で任意の用量を有する薬に固定される。
【００４０】
本装置の別の態様において、質問ユニットはタグから一意的な識別情報を読み取るよう動作し、タグは任意の用量を有する薬を提供するために構成された注射器に固定され、注射器は空気に曝されると作動する安全部品を備える。
【００４１】
本装置の別の態様において、質問ユニットはタグから一意的な識別情報を読み取るよう動作し、注射器は針を備え、針はタグに結合された少なくとも１つの接触点を備える。
【００４２】
一態様において任意の方法が提供される。本方法は、質問ユニットによって、薬に固定された識別子デバイスを、質問ユニットに結合された少なくとも１つの接触点に電気的に係合するステップと、ここで識別子デバイスは製造者と薬の少なくとも１つと関連づけられた一意的な識別情報を有し、一意的な識別情報のために識別子デバイスに応答指令信号を送るステップと、質問ユニットに接続された通信モジュールによって一意的な識別情報を送信するステップとを有する。
【００４３】
別の態様において、本方法は識別子デバイスと関連づけられた一意的な識別情報を質問ユニットによって読み取るステップを有する。
【００４４】
別の態様において、本方法は、通信モジュールと通信するコンピュータに識別子デバイスと関連づけられた一意的な識別情報を通信モジュールによって送信するステップを有する。
【００４５】
別の態様において、本方法は、メモリ内の識別子デバイスと関連づけられた一意的な識別情報を質問ユニットによって格納するステップを有し、メモリは質問ユニットに接続される。
【００４６】
別の態様において、本方法はタグから一意的な識別情報を質問ユニットによって受信するステップを有し、識別子デバイスは回路を具備するタグを備え、タグは任意の用量を有する薬に固定される。
【００４７】
別の態様において、本方法はタグから一意的な識別情報を質問ユニットによって受信するステップを有し、タグは任意の用量を有する薬を提供するために構成された注射器に固定され、注射器は空気に曝されると作動する安全部品を備える。
【００４８】
別の態様において、本方法はタグから一意的な識別情報を質問ユニットによって受信するステップを有し、タグは任意の用量を有する薬を提供するために構成された注射器に固定され、注射器は空気に曝されると作動する安全部品を備える。
【００４９】
別の態様において、本方法はタグから一意的な識別情報を質問ユニットによって受信するステップを有し、注射器は針を備え、針はタグに結合された少なくとも１つの接触点を備える。
【００５０】
一態様において任意の患者インターフェースデバイスが提供される。患者インターフェースデバイスは、外面を画定するハウジングと、ここでハウジングは患者によって保持されるよう構成され、ハウジングの外面部分に露出する少なくとも１つの接触点と、ここで少なくとも１つの接触点は患者と関連づけられた生体測定情報を検出するために患者によって物理的に接触されるよう位置づけられ、少なくとも１つの接触点は患者と関連づけられた少なくとも１つの生理的パラメータを検出するよう構成され、少なくとも１つの接触点に結合された制御モジュールと、ここで少なくとも１つの接触点は患者と関連づけられた少なくとも１つの生理的パラメータを取り込むよう制御モジュールに結合され、通信モジュールと通信するコンピュータに少なくとも１つの生理的パラメータを送信するよう制御ユニットに接続された通信モジュールとを備える。
【００５１】
患者インターフェースデバイスの別の態様において、患者インターフェースデバイスは制御モジュールに接続された電源を備える。
【００５２】
患者インターフェースデバイスの別の態様において、患者インターフェースデバイスは患者の画像を取り込むための画像生成ユニットを備え、画像生成ユニットは制御モジュールに接続され、患者の画像を取り込むよう構成され、取り込んだ画像を制御モジュールに送信する。
【００５３】
患者インターフェースデバイスの別の態様において、患者が接触点と接触している間に患者の生理的パラメータに変化があることを接触点が検出し、制御モジュールが患者を通る電流を検出すると、制御モジュールは患者の画像を取り込むために画像生成ユニットを作動するよう動作する。
【００５４】
一態様において任意の方法が提供される。本方法は、患者がハウジングの外面部分に露出する少なくとも１つの接触点に接触するステップと、ここで少なくとも１つの接触点は患者と関連づけられた生体測定情報を検出するために患者によって物理的に接触されるよう位置づけられ、少なくとも１つの接触点は患者と関連づけられた少なくとも１つの生理的パラメータを検出するよう構成され、患者と関連づけられた少なくとも１つの生理的パラメータを少なくとも１つの接触点に結合された制御モジュールによって取り込むステップと、制御ユニットに接続された通信モジュールによって、通信モジュールと通信するコンピュータに少なくとも１つの生理的パラメータを送信するステップとを有する。
【００５５】
別の態様において、本方法は、患者と関連づけられた指紋を少なくとも接触点によって走査するステップと、指紋情報を制御モジュールによって判断するステップとを有する。
【００５６】
別の態様において、本方法は、制御モジュールに接続された画像生成ユニットによって患者の画像を取り込むステップと、画像生成ユニットによって、取り込んだ患者の画像を制御モジュールに送信するステップとを有する。
【００５７】
別の態様において、本方法は、患者が接触点と接触している間に患者の生理的パラメータに変化があることを接触点が検出し、制御モジュールが患者を通る電流を検出すると、制御モジュールによって患者の画像を取り込むために画像生成ユニットを作動するステップを有する。
【００５８】
一態様において任意の患者インターフェースデバイスが提供される。患者インターフェースデバイスは、外面を画定するハウジングと、ここでハウジングは患者によって保持されるよう構成され、ハウジングの外面部分に露出する少なくとも１つの接触点と、ここで少なくとも１つの接触点は患者と関連づけられた生体測定情報を検出するために患者によって物理的に接触されるよう位置づけられ、少なくとも１つの接触点は患者と関連づけられた少なくとも１つの生理的パラメータを検出するよう構成され、少なくとも１つの接触点に結合された制御モジュールと、ここで少なくとも１つの接触点は患者と関連づけられた少なくとも１つの生理的パラメータを取り込むよう制御モジュールに結合され、通信モジュールと通信するコンピュータに少なくとも１つの生理的パラメータを送信するよう制御ユニットに接続された通信モジュールとを備える。
【００５９】
別の態様において、患者インターフェースデバイスは制御モジュールに接続された電源を備える。
【００６０】
別の態様において、患者インターフェースデバイスは患者の画像を取り込むための画像生成ユニットを備え、画像生成ユニットは、制御モジュールに接続され、患者の画像を取り込んで、取り込んだ画像を制御モジュールに送信するよう構成される。
【００６１】
患者インターフェースデバイスの別の態様において、患者が接触点と接触している間に患者の生理的パラメータに変化があることを接触点が検出し、制御モジュールが患者を通る電流を検出すると、制御モジュールは患者の画像を取り込むために画像生成ユニットを作動するよう動作する。
【００６２】
一態様において任意の方法が提供される。本方法は、患者がハウジングの外面部分に露出する少なくとも１つの接触点に接触するステップと、ここで少なくとも１つの接触点は患者と関連づけられた生体測定情報を検出するために患者によって物理的に接触されるよう位置づけられ、少なくとも１つの接触点は患者と関連づけられた少なくとも１つの生理的パラメータを検出するよう構成され、患者と関連づけられた少なくとも１つの生理的パラメータを少なくとも１つの接触点に結合された制御モジュールによって取り込むステップと、制御ユニットに接続された通信モジュールによって、通信モジュールと通信するコンピュータに少なくとも１つの生理的パラメータを送信するステップとを有する。
【００６３】
別の態様において、本方法は、患者と関連づけられた指紋を少なくとも接触点によって走査するステップと、指紋情報を制御モジュールによって判断するステップとを有する。
【００６４】
別の態様において、本方法は、制御モジュールに接続された画像生成ユニットによって患者の画像を取り込むステップと、画像生成ユニットによって、取り込んだ患者の画像を制御モジュールに送信するステップとを有する。
【００６５】
別の態様において、本方法は、患者が接触点と接触している間に患者の生理的パラメータに変化があることを接触点が検出し、制御モジュールが患者を通る電流を検出すると、制御モジュールによって患者の画像を取り込むために画像生成ユニットを作動するステップを有する。
【００６６】
本発明の特許請求の範囲および上記態様にかかわらず、様々な他の態様において、本発明は、以下の項目によって定義することもできる。
１．製造者から患者への薬の追跡をし、医療提供者が薬の製造元を判断することを可能にし、薬の正しい種類と正しい用量の少なくとも１つが患者に提供されたことを判断するためのコンピュータシステムであり、コンピュータシステムはプロセッサを備え、
プロセッサは、
薬の製造元と薬の種類を判断するために、任意の用量を有する薬に固定された識別子デバイスの一意的な識別情報を受信し、ここで、識別子デバイスは、製造者および薬の少なくとも１つと関連づけられた一意的な識別情報を備え、
コンピュータおよび患者と通信する患者インターフェースデバイスから情報を受信し、ここで、患者が薬を服用するときに、患者インターフェースデバイスは、識別子デバイスと関連づけられた一意的な識別情報を検出し、患者への薬の提供を判断するよう動作し、
患者インターフェースデバイスから検出された識別子デバイスと関連づけられた検出された一意的な識別情報と、患者インターフェースデバイスから患者への薬の提供の判断とを受信するよう動作することを特徴とする。
２．プロセッサは識別子デバイスに応答指令信号を送るよう動作することを特徴とする項目１に記載のコンピュータシステム。
３．識別子デバイスは回路を具備するタグを備え、タグは任意の用量を有する薬に固定され、プロセッサはタグから一意的な識別情報を読み取るよう動作することを特徴とする項目１または２に記載のコンピュータシステム。
４．タグは錠剤の形式で任意の用量を有する薬に固定されることを特徴とする項目１から３のいずれかに記載のコンピュータシステム。
５．タグは任意の用量を有する薬を提供するために構成された注射器に固定され、注射器は空気に曝されると作動する安全部品を備えることを特徴とする上記項目１から３のいずれかに記載のコンピュータシステム。
６．注射器は針を備え、針はタグに結合された少なくとも１つの接触点を備えることを特徴とする項目５に記載のコンピュータシステム。
７．プロセッサは患者についての医療情報の少なくとも１つを検索するためにデータセンタのデータベースと通信し、患者に処方されるべき薬に関連した情報を提供するよう動作することを特徴とする上記項目のいずれかに記載のコンピュータシステム。
８．プロセッサは、
データセンタのデータベースおよび処理システムの少なくとも１つと通信し、
情報を処理システムに送信し、
情報を処理システムから受信するよう動作し、処理システムはデータセンタのデータベース内の情報にアクセスし、コンピュータを通じて患者に情報を提供するよう動作することを特徴とする項目７に記載のコンピュータシステム。
９．患者に薬を投与する前に、医療提供者によって選択された種類と用量の少なくとも１つをプロセッサが検証するよう動作することを特徴とする上記項目のいずれかに記載のコンピュータシステム。
１０．プロセッサは、識別子デバイスに接続された質問ユニットと通信するよう動作し、質問ユニットは、薬に固定された識別子デバイスに応答指令信号を送り、薬の製造元と薬の種類を判断するために識別子デバイスの一意的な識別情報を受信するよう動作し、コンピュータは、質問ユニットに応答指令信号を送り、質問ユニットから識別子の一意的な識別情報を受信するよう動作することを特徴とする上記項目のいずれかに記載のコンピュータシステム。
１１．プロセッサは、
質問ユニットのメモリと通信し、
質問ユニットのメモリに格納された識別子の一意的な識別情報を受信するよう動作することを特徴とする項目１０に記載のコンピュータシステム。
１２．プロセッサは患者インターフェースデバイスから生体測定パラメータを受信するよう動作し、生体測定パラメータは前記患者の識別を可能にし、または、プロセッサは患者インターフェースデバイスのカメラによって取り込まれた患者の画像を受信するよう動作することを特徴とする上記項目のいずれかに記載のコンピュータシステム。
１３．患者と関連づけられた情報を提供するためのディスプレイを備え、情報は、患者の画像、患者の病歴、および患者に提供するための薬の次の種類と服用量を有することを特徴とする上記項目のいずれかに記載のコンピュータシステム。
１４．製造者から患者への薬を追跡し、好ましくは、上記項目のいずれかによるコンピュータシステムを用い、医療提供者が薬の製造元を判断することを可能にし、薬の正しい種類と正しい用量の少なくとも１つが患者に提供されたことを判断するためのコンピュータ実施方法であり、コンピュータはプロセッサを備え、方法は、
薬の製造元と薬の種類を判断するために任意の用量を有する薬に固定された識別子デバイスの一意的な識別情報をプロセッサによって受信するステップと、ここで、識別子デバイスは製造者および薬の少なくとも１つと関連づけられた一意的な識別情報を備え、
コンピュータおよび患者と通信する患者インターフェースデバイスから情報をプロセッサによって受信するステップと、ここで、患者が薬を服用するときに、患者インターフェースデバイスは識別子デバイスと関連づけられた一意的な識別情報を検出し、患者への薬の提供を判断するよう動作し、
患者インターフェースデバイスから検出された識別子デバイスと関連づけられた検出された一意的な識別情報と、患者インターフェースデバイスから患者への薬の提供の判断とをプロセッサによって受信するステップとを有することを特徴とする。
１５．プロセッサによって、識別子デバイスに応答指令信号を送るステップを有することを特徴とする項目１５に記載のコンピュータ実施方法。
１６．タグから一意的な識別情報をプロセッサによって受信するステップを有し、識別子デバイスは回路を具備するタグを備え、タグは任意の用量を有する薬および方法に固定されたことを特徴とする項目１４または１５に記載のコンピュータ実施方法。
１７．タグから一意的な識別情報をプロセッサによって受信するステップを有し、タグは、錠剤の形式で任意の用量を有する薬に固定されるか、または任意の用量を有する薬を提供するために構成された注射器に固定され、注射器は空気に曝されると作動する安全部品を備え、好ましくは、タグから一意的な識別情報をプロセッサによって受信するステップを有し、注射器は針を備え、針はタグに結合された少なくとも１つの接触点を備えることを特徴とする項目１６に記載のコンピュータ実施方法。
１８．データセンタのデータベースから患者についての医療情報をプロセッサによって検索するステップと、
患者に処方されるべき薬に関連した情報をプロセッサによって提供するステップとの少なくとも１つを有することを特徴とする項目１４から１７のいずれかに記載のコンピュータ実施方法。
１９．プロセッサによって処理システムに情報を送信するステップと、
プロセッサによって処理システムから情報を受信するステップとを有し、処理システムはデータセンタのデータベース内の情報にアクセスし、コンピュータを通じて患者に情報を提供するよう動作することを特徴とする項目１８に記載のコンピュータ実施方法。
２０．患者に薬を投与する前に、医療提供者によって選択された種類と用量の少なくとも１つをプロセッサによって検証するステップを有することを特徴とする項目１４から１９のいずれかに記載のコンピュータ実施方法。
２１．プロセッサによって、識別子デバイスに接続された質問ユニットを動作させるように応答指令信号を送るステップと、ここで、質問ユニットは、薬に固定された識別子デバイスに応答指令信号を送り、薬の製造元と薬の種類を判断するために識別子デバイスの一意的な識別情報を受信するよう動作し、
コンピュータによって、質問ユニットから識別子の一意的な識別情報を受信するステップとを有することを特徴とする項目１４から２０のいずれかに記載のコンピュータ実施方法。
２２．プロセッサによって質問ユニットのメモリと通信するステップと、
プロセッサによって、質問ユニットのメモリに格納された識別子の一意的な識別情報を受信するステップとを有することを特徴とする項目２１に記載のコンピュータ実施方法。
２３．プロセッサによって、患者インターフェースデバイスから生体測定パラメータを受信するステップを有し、生体測定パラメータは患者の識別を可能にすることを特徴とする項目１４から２２のいずれかに記載のコンピュータ実施方法。
２４．患者インターフェースデバイスのカメラによって取り込まれた患者の画像をプロセッサにより受信するステップを有することを特徴とする項目１４から２３のいずれかに記載のコンピュータ実施方法。
２５．プロセッサに接続されたディスプレイに患者と関連づけられた情報を表示するステップを有し、情報は、患者の画像、患者の病歴、患者に提供するための薬の次の種類と服用量のいずれかを有することを特徴とする項目１４から２４のいずれかに記載のコンピュータ実施方法。
２６．薬に固定された識別子デバイスに電気的に係合するよう構成された少なくとも１つの接触点と、ここで、識別子デバイスは製造者および薬の少なくとも１つと関連づけられた一意的な識別情報を備え、
少なくとも１つの接触点に接続された質問ユニットと、ここで、質問ユニットは、一意的な識別情報を得るために識別子デバイスに応答指令信号を送るよう動作し、
質問ユニットに接続された通信モジュールとを備え、ここで、通信モジュールは、一意的な識別情報を送信するよう動作することを特徴とする装置。
２７．質問ユニットは識別子デバイスと関連づけられた一意的な識別情報を読み取るよう動作することを特徴とする項目２６に記載の装置。
２８．通信モジュールは、通信モジュールと通信するコンピュータに、識別子デバイスと関連づけられた一意的な識別情報を送信するよう動作することを特徴とする項目２６または２７に記載の装置。
２９．識別子デバイスと関連づけられた一意的な識別情報を格納するために質問ユニットに接続されたメモリを備えることを特徴とする項目２６から２８のいずれかに記載の装置。
３０．質問ユニットは、回路を備えるタグから一意的な識別情報を読み取るよう動作し、タグは任意の用量を有する薬に固定され、好ましくは、質問ユニットはタグから一意的な識別情報を読み取るよう動作し、タグは錠剤の形式で任意の用量を有する薬に固定され、または、質問ユニットはタグから一意的な識別情報を読み取るよう動作し、タグは任意の用量を有する薬を提供するために構成された注射器に固定され、注射器は空気に曝されると作動する安全部品を備え、好ましくは、注射器は針を備え、針はタグに結合された少なくとも１つの接触点を備えることを特徴とする項目２６から２９のいずれかに記載の装置。
３１．質問ユニットによって、薬に固定された識別子デバイスを、質問ユニットに結合された少なくとも１つの接触点と電気的に係合するステップと、ここで、識別子デバイスは製造者および薬の少なくとも１つと関連づけられた一意的な識別情報を備え、
一意的な識別情報に対し識別子デバイスに応答指令信号を送るステップと、
質問ユニットに接続された通信モジュールによって一意的な識別情報を送信するステップとを有することを特徴とする方法。
３２．質問ユニットによって、識別子デバイスと関連づけられた一意的な識別情報を読み取るステップを有することを特徴とする項目３１に記載の方法。
３３．通信モジュールによって、通信モジュールと通信するコンピュータに、識別子デバイスと関連づけられた一意的な識別情報を送信するステップを有することを特徴とする項目３１または３２に記載の方法。
３４．質問ユニットによって、メモリ内の識別子デバイスと関連づけられた一意的な識別情報を格納するステップを有し、メモリが質問ユニットに接続されることを特徴とする項目３１から３３のいずれかに記載の方法。
３５．質問ユニットによって、タグから一意的な識別情報を受信するステップを有し、識別子デバイスは回路を備えるタグを備え、タグは任意の用量を有する薬に固定されることを特徴とする項目３１から３４にいずれかに記載の方法。
３６．質問ユニットによって、タグから一意的な識別情報を受信するステップを有し、タグは、任意の用量を有する薬を提供するために構成された注射器に固定され、注射器は空気に曝されると作動する安全部品を備え、好ましくは、注射器は針を備え、針はタグに結合された少なくとも１つの接触点を備えることを特徴とする項目３５に記載の方法。
３７．外面を画定するハウジングと、ここで、ハウジングは患者によって保持されるよう構成され、
ハウジングの外面部分に露出する少なくとも１つの接触点と、ここで、少なくとも１つの接触点は、患者と関連づけられた生体測定情報を検出するために患者によって物理的に接触されるよう位置づけられ、少なくとも１つの接触点は、患者と関連づけられた少なくとも１つの生理的パラメータを検出するよう構成され、
少なくとも１つの接触点に結合された制御モジュールと、ここで、少なくとも１つの接触点は、患者と関連づけられた少なくとも１つの生理的パラメータを取り込むために制御モジュールに結合され、
通信モジュールと通信するコンピュータに少なくとも１つの生理的パラメータを送信するための制御ユニットに結合された通信モジュールとを備えることを特徴とする患者インターフェースデバイス。
３８．制御モジュールに結合された電源を備えることを特徴とする項目３７に記載の患者インターフェースデバイス。
３９．患者の画像を取り込むための画像生成ユニットを備え、画像生成ユニットは制御モジュールに結合され、患者の画像を取り込み、取り込まれた画像を制御モジュールに送信するよう構成されることを特徴とする項目３７または３８に記載の患者インターフェースデバイス。
４０．患者が接触点と接触している間に患者の生理的パラメータに変化があることを接触点が検出し、制御モジュールが患者を通る電流を検出すると、制御モジュールは、患者の画像を取り込むために画像生成ユニットを作動するよう動作することを特徴とする項目３７から３９のいずれかに記載の患者インターフェースデバイス。
４１．患者がハウジングの外面部分に露出する少なくとも１つの接触点に接触するステップと、ここで、少なくとも１つの接触点は患者と関連づけられた生体測定情報を検出するために患者によって物理的に接触されるよう位置づけられ、少なくとも１つの接触点は患者と関連づけられた少なくとも１つの生理的パラメータを検出するよう構成され、
患者と関連づけられた少なくとも１つの生理的パラメータを少なくとも１つの接触点に結合された制御モジュールによって取り込むステップと、
制御ユニットに結合された通信モジュールによって、少なくとも１つの生理的パラメータを通信モジュールと通信するコンピュータに送信するステップとを有することを特徴とする方法。
４２．少なくとも接触点によって、患者と関連づけられた指紋を走査するステップと、
制御モジュールによって、指紋情報を判断するステップとを有することを特徴とする項目４１に記載の方法。
４３．画像生成ユニットによって患者の画像を取り込むステップと、ここで、画像生成ユニットは制御モジュールに結合され、
画像生成ユニットによって、患者の取り込まれた画像を制御モジュールに送信するステップとを有することを特徴とする項目４１または４２に記載の方法。
４４．患者が接触点と接触している間に患者の生理的パラメータに変化があることを接触点が検出し、制御モジュールが患者を通る電流を検出すると、制御モジュールによって、患者の画像を取り込むために画像生成ユニットを作動するステップを有することを特徴とする項目４１から４３のいずれかに記載の方法。
４５．サプライチェーンに沿う製造者から利用者への製品を追跡するためのシステムであり、システムは、
製品を識別するために製品と関連づけられた識別手段と、
識別手段に応答指令信号を送るための応答指令信号送信手段とを備えることを特徴とする。
４６．製品は薬であり、利用者は患者であり、システムは医療提供者が薬の製造元を判断することを可能にすることを特徴とする項目４５に記載のシステム。
４７．薬の識別情報を患者に通信するための患者通信手段をさらに備えることを特徴とする項目４５または４６に記載のシステム。
４８．識別手段は製品に固定されたデバイスを備えることを特徴とする上記項目４５から４７のいずれかに記載のシステム。
４９．識別手段は、製造者および／または製品と関連づけられた一意的な識別情報を有することを特徴とする項目４８に記載のシステム。
５０．システムは、薬の正しい用量および／または正しい種類が患者に提供されたことを判断することを特徴とする前記項目４６から４９のいずれかに記載のシステム。
５１．応答指令信号送信手段は、識別手段の一意的な識別情報を読み取るコンピュータシステムを備えることを特徴とする上記項目４５から５０のいずれかに記載のシステム。
５２．コンピュータシステムは、利用者情報および／または製品情報を検索するためにデータベースと通信することを特徴とする項目５１に記載のシステム。
５３．利用者情報は患者情報であり、製品情報は患者に処方されるべき医薬品に関連した情報であることを特徴とする項目５２に記載のシステム。
５４．コンピュータシステムは、投与前に、種類と用量の少なくとも１つを検証することを特徴とする項目５１から５３のいずれかに記載のシステム。
５５．患者通信手段は、患者が薬を服用するときに患者と物理的に通信するよう構成され、コンピュータシステムと通信し、患者通信手段は、識別手段の一意的な識別情報を検出して製品の提供を判断する個人デバイスであることを特徴とする上記項目４７から５４のいずれかに記載のシステム。
５６．識別手段は回路を備えるタグであり、タグは錠剤に固定され、回路は、タグが錠剤から外されると壊れることを特徴とする上記項目４５から５５のいずれかに記載のシステム。
５７．識別手段はタグであり、タグは注射器に固定され、タグおよび／または注射器は空気に曝されると作動する安全部品を備えることを特徴とする上記項目４５から５５のいずれかに記載のシステム。
５８．タグには、あらかじめ決められた時間期限内に医薬品が提供されない場合には応答指令信号が送られないことを特徴とする項目５６または５７に記載のシステム。
５９．注射器の針はタグに接続された接触点を含むことを特徴とする項目５７または５８に記載のシステム。
６０．患者への薬の提供を判断するためのインターフェースデバイスであり、好ましくは、前記項目４５から５９のいずれかに記載のシステムで使用するためのインターフェースデバイスであり、デバイスは、制御モジュールと、ここで、制御モジュールは通信モジュールとメモリユニットを含み、
患者と関連づけられた少なくとも１つの生理的パラメータを検出するための接触点と、ここで、接触点は、制御モジュールに接続され、患者と関連づけられた少なくとも１つの生理的パラメータを取り込み、その情報を患者に送信し、
患者の画像を取り込むための画像生成ユニットとを備え、ここで、画像生成ユニットは、制御モジュールに接続され、患者の画像を取り込み、画像を制御モジュールに送信し、
患者が接触点と接触している間に患者の生理的パラメータに変化があることを接触点が検出し、制御モジュールが患者を通る電流を検出すると、制御モジュールは、患者の画像を取り込むために画像生成ユニットを作動することを特徴とする。
６１．項目６０に記載のデバイスをさらに備えることを特徴とする前記項目４５から５９のいずれかに記載のシステム。
６２．サプライチェーンに沿う製造者から利用者への製品を追跡するための方法であり、製品に識別手段を取り付けるステップと、識別手段に応答指令信号を送るステップとを有することを特徴とする。
６３．利用者への製品の受領を判断するステップをさらに有することを特徴とする項目６２に記載の方法。
６４．上記のいずれかに記載のシステム、デバイス、または装置を用いることを特徴とする項目６２または６３に記載の方法。
６５．タグを備え、タグが回路を備えることを特徴とする錠剤。
６６．タグを備える注射器であり、タグおよび／または注射器は、空気に曝されると作動する安全部品を備えることを特徴とする。
６７．製造者から患者への薬の追跡し、医療提供者が薬の製造元を判断することを可能にし、および薬の正しい種類と正しい用量の少なくとも１つが患者に提供されたことを判断するためのシステムであり、システムは、薬に固定された識別子デバイスと、ここで、識別子デバイスは、製造者および薬の少なくとも１つと関連づけられた一意的な識別情報を有し、
識別子デバイスに応答指令信号を送るためのコンピュータシステムと、
ここで、コンピュータシステムは、薬の製造元と薬の種類を判断するために識別子デバイスの一意的な識別情報を読み取り、
ここで、コンピュータシステムは、患者についての少なくとも１つの医療情報を検索し、患者に処方されるべき薬に関連した情報を提供するためにデータベースと通信し、
ここで、コンピュータシステムは、患者に投与する前に、医療提供者によって選択された種類と用量の少なくとも１つを検証し、
コンピュータシステムと通信する個人デバイスとを備え、ここで、個人デバイスは、患者が薬を服用するときに、識別子デバイスと関連づけられた一意的な識別情報を検出し、患者への薬の提供を判断するために、患者と物理的に通信するよう構成されることを特徴とする。
６８．適切な種類の薬と服用量が提供され、薬が既知の製造元まで追跡可能であることを医療提供者が確認するように、医療提供者が追跡し、医療提供者を導くための方法であり、方法は、
薬が製造されたとき、製造元で薬に一意的な署名を生成する識別可能タグを取り付けるステップと、
薬が元の薬であるかを判断し、正しい薬が患者に選択されたことを判断するために、患者へ提供された頃にタグに応答指令信号を送るステップと、
患者の有する識別可能タグの通信に基づいて、患者の体を通して識別可能タグの一意的な署名を検出することを通じて、患者が薬を服用、または受け取ったことを判断するステップとを有することを特徴とする。
６９．利用者への提供品を追跡するためのシステムであり、システムは、
提供品に固定された識別子デバイスと、ここで、識別子デバイスは、提供品と関連づけられた一意的な識別情報を有し、
識別子デバイスに応答指令信号を送るためのコンピュータシステムと、
ここで、コンピュータシステムは、提供品と関連づけられた情報を判断するために識別子デバイスを識別し、
ここで、コンピュータシステムは、利用者と関連づけられた少なくとも１つの情報を検索し、利用者に処方すべき提供品と関連づけられた情報を医療提供者に提供するためにデータベースと通信し、
ここで、コンピュータシステムは、利用者への処方の前に医療提供者によって提供された提供品と関連づけられた情報を検証し、
コンピュータシステムと通信する個人デバイスとを備え、ここで、個人デバイスは、利用者に提供品が処方される時に利用者によって保持されるよう構成され、識別子デバイスと関連づけられた一意的な識別情報を検出し、利用者への提供品の提供を判断することを特徴とする。
７０．利用者へ提供品が提供され、提供品が既知の製造元に追跡可能であることを医療提供者が確認することができるように、医療提供者が追跡し、および医療提供者を導くための方法であり、方法は、
一意的な署名を生成する、提供品と物理的に関連づけられた識別可能タグを提供するステップと、
利用者に提供された頃に、提供品が所望の提供品であるかどうかを判断し、医療提供者が正しい提供品を選択したことを判断するために、提供品と関連づけられた識別可能タグに応答指令信号を送るステップと、
利用者が有する識別可能タグとの接触に基づいて、識別可能タグの一意的な署名の検出を通じて、利用者が提供品を処方されたことを判断するステップとを有することを特徴とする。
７１．患者への薬の提供を判断するためのインターフェースデバイスであり、デバイスは、
通信モジュールとメモリユニットを含む制御モジュールと、
患者と関連づけられた少なくとも１つの生理的パラメータを検出するための接触点と、ここで、接触点は、制御モジュールに接続され、患者と関連づけられた少なくとも１つの生理的パラメータを取り込み、その情報を患者に送信し、
患者の画像を取り込むための画像生成ユニットとを備え、ここで、画像生成ユニットは、制御モジュールに接続され、患者の画像を取り込み、画像を制御モジュールに送信し、
患者が接触点と接触している間に患者の生理的パラメータに変化があることを接触点が検出し、制御モジュールが患者を通る電流を検出すると、制御モジュールは、患者の画像を取り込むために画像生成ユニットを作動することを特徴とする。
【図面の簡単な説明】
【００６７】
【図１】製造元から患者への薬の追跡をし、正しい種類と服用量の薬が提供されたことを判断するためのシステムを示す図である。
【図２Ａ】本発明の一態様による、薬を提供するために使用する注射器の針を示す図である。
【図２Ｂ】本発明の他の態様による、薬を提供するために使用する注射器の針を示す図である。
【図２Ｃ】本発明のある態様による、図２Ａおよび図２Ｂの注射器を保持するためのスリーブの断面図である。
【図３】本発明の一態様による、図１で使用される識別情報判断デバイスを表す機能ブロック図である。
【図４】タグの一態様を示す図である。
【発明を実施するための形態】
【００６８】
図１を参照すると、システム１０は、デバイス４０と、モバイルコンピュータ５０と、患者識別情報判断デバイス７０とを含む。システム１０は中央データセンタ８０と通信する。本発明の様々な態様によれば、薬を提供するために開示された少なくとも２つの方法、つまり錠剤２０および注射器３０がある。しかしながら、本発明の範囲は使用される提供方法に限定されない。例えば、薬は、パッチ、吸入器、または軟膏によって提供されてもよい。さらに、用語「錠剤」は、摂取可能な医薬品およびキャリアの様々な形態因子、例えば、カプセル、ゲルカプセル、プラシーボ、カプセルキャリアまたは媒体等を含む。パッチが使用される場合、タグはパッチに固定することができる。軟膏が使用される場合、タグを軟膏に含めることができ、軟膏が適用されると、提供および追跡を判断することができる。薬の製造元、または製造場所で、識別可能タグは、薬の種類、または患者への薬の提供／投与の方法にかかわらず、薬と関連づけられる。識別可能タグは、摂取可能なイベントマーカ、またはイオン放出モジュール（ＩＥＭ）と同様である。ＩＥＭは摂取することができ、識別可能な署名を提供することができて一意である。ＩＥＭは、２００９年９月２１日に出願され、２０１０年４月１日に２０１０−００８１８９４Ａ１として公開された米国特許第１２／５６４，０１７号「部分電源を用いる通信システム（ＣＯＭＭＵＮＩＣＡＴＩＯＮ  ＳＹＳＴＥＭ  ＷＩＴＨ  ＰＡＲＴＩＡＬ  ＰＯＷＥＲ  ＳＯＵＲＣＥ）」により詳細に開示され、その全体が参照によって本明細書に組み込まれる。
【００６９】
本発明の他の態様によれば、識別可能タグはパッケージ内の薬を一意に識別するパッケージング上のバーコードを含むことができ、パッケージは開封を防ぐ封印を含むことができる。したがって、医療提供者は、モバイルコンピュータ５０を使用して、バーコードを走査し、確認のためにデータセンタ８０に送信するバーコードの画像を取り込むであろう。
【００７０】
錠剤２０に関し、識別可能タグ２２は錠剤２０の片面に固定されていることが示されている。タグ２２の周りには導電性表面２４が存在する。タグ２２の一方の表面は露出され、タグ２２の他の表面は導電経路２６を介して表面２４に電気的に結合される。導電性表面２４は、様々な技術、例えば、任意の摂取可能な導電インク技術等を用いて製造することができる。錠剤２０からタグ２２が外れるのを防ぐために、タグ２２は、薬からタグを分離しようとすると、タグ２２の回路の破壊を引き起こすように固定されている。さらに、タグ２２の周りに導電性表面２４を含むことで、タグ２２の改ざんや取り外しをさらに防止する。特に、タグ２２が錠剤２０から外された場合、導電性表面２４と経路２６はタグ２２から分離し、それにより、デバイス４０によってタグ２２の応答指令信号送信を防ぐことになるであろう。
【００７１】
デバイス４０は接触点４２と４４を含み、各接触点が質問ユニット４６に接続される。デバイス４０は図示しない電源も含む。質問ユニット４６は通信モジュール４８に接続される。錠剤２０の製造元と種類および服用量を判断するために、錠剤２０は開口４０ａに配置され、接触点４２と４４と接触する。次いで、質問ユニット４６はタグ２２の識別情報を読み取ることができる。その後、タグ２２の識別情報はモバイルコンピュータ５０に通信される。デバイス４０とモバイルコンピュータ５０との間の通信リンク５２は、Ｂｌｕｅｔｏｏｔｈ（登録商標）技術または同様の無線技術等の任意の無線通信である。別の態様において、デバイス４０はコンピュータ５０の一部であってもよい。
【００７２】
本発明の他の態様によれば、デバイス４０は、デバイス４０とモバイルコンピュータ５０との間の通信リンクが割込みまたは消失した場合に、後で送信または通信、ならびに判断するための情報を格納するためのメモリを含むことができる。
【００７３】
さらに、本発明の他の態様によれば、デバイス４０は、ユニバーサルシリアルバス（ＵＳＢ）等の有線接続等の物理的なリンク（図示しない）を用いてモバイルコンピュータ５０に直接接続することができる。その後、モバイルコンピュータ５０は、薬の製造元、および患者６０への薬の種類と服用量の正しい提供と関連づけられた他の情報を判断することができる。コンピュータ５０はディスプレイ５８と共に示される。ディスプレイ５８は、患者の画像、患者の病歴、患者に提供するための次の種類と服用量等の情報を提供することができる。本発明の様々な態様によれば、モバイルコンピュータ５０は、モバイル通信デバイス、携帯電話、または無線通信ユニットを有するラップトップコンピュータ等の、ディスプレイと無線通信機能を含む任意のデバイスであってもよい。さらに、モバイルコンピュータ５０は、モデムをシミュレートし、通信のためのデータチャネルを生成するために共に使うことができる音声出力５０ａと音声入力５０ｂを含む。また、モバイルコンピュータ５０は、様々な通信プロトコル、例えば、携帯電話通信チャネルを通じて情報が送り先に送信されるようなショートメッセージサービス（ＳＭＳ）を使用して通信可能である。
【００７４】
注射器３０に関し、識別可能タグ３２が注射器３０に固定される。タグ３２が注射器３０から外されて別の注射器に再度取り付けできないことを確実にするために、注射器および／またはタグは安全部品を含み、例えば、タグ３２は亜鉛電池のように一旦空気に曝されると作動する層を含む。したがって、製造時、各注射器３０はタグ３２を保護するために密封包装内に固定される。一旦パッケージが開かれると、タグ３２は空気に曝されて作動することになる。したがって、パッケージが開かれ、薬が短い時間内、例えば数分以内に提供されないと、タグ３２は停止し、後に応答指令信号を送ることができない。本発明の一態様によれば、タグ３２の層は、周囲の空気と接触すると作動してタグ３２に電源を投入する亜鉛ベースの電池である。
【００７５】
一旦注射器３０がパッケージから外され、医療提供者が患者への薬の提供の準備をすると、注射器３０はスリーブ３４の内部に配置される。スリーブ３４はタグ３２の識別情報を検出し、取り込むことができる。スリーブ３４は注射器３０に固定されたタグ３２と関連づけられた情報を、モバイルコンピュータ５０とスリーブ３４の間の物理的な接続部５４を介して送信する。本発明の他の態様によれば、スリーブ３４は、図示しない無線接続を介して、モバイルコンピュータ５０と通信することができる。注射器３０の針が患者６０と接すると、その後、回路は患者識別情報判断デバイス７０を通して図示のように完成する。
【００７６】
図２Ａおよび図２Ｂを参照すると、本発明の他の態様によれば、注射器３０の針は、接続部３８を介してタグ３２に接続される特定の接触点３６を含むことができる。接触点３６は、注射器３０の端に沿うか、または針上に位置づけられ、それにより、患者６０への薬の提供を示す一意的な署名または識別情報を送信するように、タグ３２を作動するために使われる回路を患者の皮膚との接触により完成する。
【００７７】
図２Ｃを参照すると、接触点３６はタグ３２に電気的に結合される。注射器３０が接触点３４ａを通じてスリーブ３４の内側に配置されると、タグ３２はスリーブ３４に電気的に結合される。接触点３４ａはタグ３２と接触し、電気信号が接続部５４を通じてタグ３２とモバイルコンピュータ５０との間を通ることを可能にする。停止タブ３４ｂはスリーブ３４内に位置づけられ、タグ３２との接触点３４ａの適切な位置調整を確実にする。
【００７８】
図１と図３を参照すると、患者識別情報判断デバイス７０は接続部またはリンク５６を介してモバイルコンピュータ５０に接続されるものとして示されている。患者識別情報判断デバイス７０は、患者識別情報判断デバイス７０の表面に露出する親指パッドまたは接触点７２および７４を含む。本発明の様々な態様により、接触点７２および７４は任意の形状の生体測定検出接点であってもよい。例えば、接触点は指紋情報を走査および判断することができる。本発明の他の態様によれば、接触点は、体温、または患者を識別することを可能にする、ＤＮＡを含む他の生体測定パラメータ等の、患者の生理的パラメータを検出することができる。接触点７２および７４は患者識別情報判断デバイス７０内の制御ユニット７０ａに電気的に結合される。本発明の一態様によれば、電源７０ｂは制御ユニット７０ａに電気的に結合され、したがって、患者識別情報判断デバイス７０は電源内蔵式である。本発明の他の態様によれば、患者識別情報判断デバイス７０は接続部５６を通してモバイルコンピュータから電力を受けることができる。
【００７９】
本発明の一態様によれば、患者識別情報判断デバイス７０はモバイルコンピュータ５０に送信された患者の画像を取り込むためのカメラ７８を含む。カメラ７８は制御ユニット７０ａに電気的に接続される。制御ユニット７０ａは、一旦制御ユニット７０ａが回路経路の完成を検出すると、カメラ７８の起動を制御し、患者６０が薬を受け取っていることを示す。すなわち、患者６０は接触点７２および７４の少なくとも１つを用いて患者識別情報判断デバイス７０を保持し、例えば右や左の親指等の手足６２および６４の１つで患者識別情報判断デバイス７０と患者６０の間に物理的な接続を生成する。患者６０が患者識別情報判断デバイス７０を保持し、注射器３０が患者６０と接触すると、その後、回路が完成する。すなわち、接触点３６が患者６０の皮膚と接触する。接触点３６はタグ３２に電気的に結合され、タグ３２はスリーブ３４に電気的に結合される。スリーブ３４はモバイルコンピュータ５０に電気的に結合され、モバイルコンピュータ５０は患者識別情報判断デバイス７０に電気的に結合される。したがって、一旦患者が患者識別情報判断デバイス７０を保持し、注射器３０の針が患者６０の皮膚と接触すると、完成した回路が患者６０を通じて形成される。
【００８０】
上記のように、接触点７２および７４は、物理的な接触を通じて、心拍数の変化を含む患者の生理的パラメータを検出することができ、そのような接触は、典型的には、注射器３０の針が患者６０の皮膚を刺す場合である。患者６０の生理的パラメータのこの変化は、制御ユニット７０ａによって使用されるトリガになり、カメラを作動して患者６０の画像を取り込むことができる。提供された時間および日付と関連づけられた情報ならびに患者６０の画像はモバイルコンピュータ５０に送られる。モバイルコンピュータ５０は患者６０への薬の提供を記録することができる。さらに、モバイルコンピュータ５０はタグ３２を走査し、またはタグ３２に応答指令信号を送り、提供された薬の服用量および種類を判断することができる。その後、タグ３２の亜鉛ベースの層が無くなり、タグ３２は再び使用することができなくなる。本発明の他の態様によれば、注射器３０は、一旦プランジャが押し込まれると、引き込むことや引き出すことができないような、単数回使用の注射器であってもよい。
【００８１】
様々な態様において、識別可能タグ２２、３２は、摂取可能イベントマーカまたはイオン放出モジュール（ＩＥＭ）と同様に、図４に示すシステム１２０により実現することができる。システム１２０は、任意の医薬品に関して使用して、前述のように、薬の製造元を判断し、薬の正しい種類と正しい用量の少なくとも１つが患者に提供されたことを判断することができ、いくつかの態様において、患者が医薬品をいつ服用するかを判断することができる。しかしながら、本開示の範囲は、環境およびシステム１２０と共に使用される製品に限定されない。例えば、システムは、無線モードや、カプセル内にシステム１２０を設置して導電性流体内にカプセルを設置することによるガルバニックモードや、またはシステム１２０を空気にさらすことで作動することができる。例えば、一旦導電性流体内に配置されると、カプセルは任意の期間にわたって溶解し、システム１２０を導電性流体に放出するであろう。したがって、一態様において、カプセルはシステム１２０を備え、製品を含まないであろう。そのようなカプセルは、導電性流体が存在する任意の環境でも使用することができ、任意の製品とも一緒に使用することができる。例えば、カプセルは、ジェット燃料、塩水、トマトソース、モータオイル、または任意の同様の製品で満たした容器内に投入することができる。さらに、システム１２０を備えるカプセルは、製品を服用した場合などのイベントの発生を記録するために、任意の医薬品の摂取と同時に摂取してもよい。
【００８２】
薬や医薬品と組み合わされたシステム１２０の特定の例において、製品や錠剤が摂取される、または空気に曝されると、システム１２０はガルバニックモードで作動する。システム１２０はコンダクタンスを制御し、検出された一意的な電流署名を生成し、それにより、医薬品が服用されたことを示す。無線モードで作動すると、システムは容量プレートの変化を制御し、システム１２０と関連づけられた、検出された一意的な電圧署名を生成する。
【００８３】
一態様において、システム１２０はフレームワーク１２２を含む。フレームワーク１２２はシステム１２０のための筐体であり、複数の部品がフレームワーク１２２に取り付けられ、フレームワーク１２２の上に置かれ、または、フレームワーク１２２に固定される。システム１２０のこの態様において、消化可能物質１２４はフレームワーク１２２と物理的に関連づけられる。物質１２４は、フレームワーク上に、化学的に堆積させるか、蒸着させるか、固定させるか、または蓄積させることができ、それら全ては、フレームワーク１２２に関して「堆積する」と本明細書で表現する。物質１２４はフレームワーク１２２の片面に堆積される。物質１２４として使用可能な関心物質は、Ｃｕ、ＣｕＣｌ、またはＣｕＩを含むが、これらに限定されない。物質１２４は、物理的な蒸着や、電着や、またはプラズマ蒸着によって、他の手順の間に堆積される。物質１２４は厚さ約０．０５から約５００μｍ、例えば、厚さ約５から約１００μｍにすることができる。形状は、シャドウマスク蒸着、またはフォトリソグラフィおよびエッチングにより制御される。さらに、１つの領域が物質を堆積するために示されているが、各システム１２０は、物質１２４が所望通りに堆積することができる２つ以上の電気的に一意的な領域を備えることができる。
【００８４】
図４に示す反対側である別の側で、他の消化可能物質１２６が堆積され、物質１２４と１２６は異種であり、互いから絶縁される。図示しないが、選択された異なる側が物質１２４のために選択された側に隣接する側であってもよい。本開示の範囲は選択された側によって限定されず、用語「別の側」は第１の選択された側と異なる複数の側のいずれかを意味することができる。様々な態様において、異種物質は同じ側の異なる位置に配置することができる。さらに、システムの形状は四角形として示されているが、形状は任意の幾何学的に適切な形状とすることができる。物質１２４と１２６は、システム１２０が体液等の導電性液体と接触すると、電位差を生じるように選択される。物質１２６に対する関心物質は、Ｍｇ、Ｚｎ、または他の電気陰性金属を含むが、これらに限定されない。物質１２４に関し上記のように、物質１２６は、フレームワークに化学的に堆積させるか、蒸着させるか、固定させるか、または蓄積させることができる。また、物質１２６がフレームワーク１２２に接着することを助けるために、（物質１２４で必要な場合と同様に）接着層が必要となる可能性がある。物質１２６に対する典型的な接着層は、Ｔｉ、ＴｉＷ、Ｃｒ、または同様の物質である。アノード物質および接着層は、物理的な蒸着や、電着や、またはプラズマ蒸着によって堆積させることができる。物質１２６は、厚さ約０．０５から約５００μｍ、例えば、厚さ約５から約１００μｍにすることができる。しかしながら、本開示の範囲は、いずれの物質の厚さによっても、または、物質をフレームワーク１２２に堆積するか固定するために使われる処理の種類によっても限定されない。
【００８５】
記載した開示によれば、物質１２４および１２６は異なる電気化学電位を有する物質の任意のペアであることができる。さらに、システム１２０が体内で使用される実施形態において、物質１２４および１２６は吸収可能なビタミンにすることができる。すなわち、物質１２４および１２６は、システム１２０が動作するであろう環境に対して適切な任意の２つの物質で作ることができる。例えば、摂取可能な製品と使用する場合、物質１２４および１２６は、異なる電気化学電位を有する摂取可能な物質の任意のペアである。例示的な例は、システム１２０が胃酸などのイオン溶液と接触する場合の例を含む。適切な物質は金属に限定されず、ある実施形態において、ペアとなる物質は、金属および非金属から選ばれ、例えば、金属（Ｍｇ等）と塩（ＣｕＣｌまたはＣｕＩ等）で作られるペアである。活性電極物質に関し、物質と金属、塩、または適切な異なる電気化学電位（電圧）と低界面抵抗を有するインターカレーション化合物の任意のペアが適切である。
【００８６】
関心のある物質とペアは以下の表１に示すものを含むが、これらに限定されない。一実施形態において、１つまたは両方の金属が非金属を添加され、例えば、導電性液体と接触する場合に物質の間で生じる電圧電位を高めることができる。ある実施形態において、ドープ剤として使用することができる非金属には硫黄やヨウ素等があるが、これらに限定されない。他の実施形態において、物質には、アノードとしてのヨウ化銅（ＣｕＩ）およびカソードとしてのマグネシウム（Ｍｇ）がある。本開示の態様では、人体に害のない電極物質を使用する。
【００８７】
【表１】
2013529117.tif 000003
【００８８】
したがって、システム１２０が導電性流体と接触すると、異種物質１２４および１２６の間の導電性流体を通して電流経路が形成される。制御デバイス１２８はフレームワーク１２２に固定され、物質１２４および１２６に電気的に結合される。制御デバイス１２８は電子回路を含み、例えば、物質１２４および１２６の間のコンダクタンスを制御および変更可能な制御論理である。
【００８９】
異種物質１２４および１２６の間で発生する電圧電位は、システムを動作するために電力をもたらし、導電性流体とシステム１２０を通る電流を生成する。一態様において、システム１２０は直流モードで動作する。他の態様において、システム１２０は電流の方向を制御し、したがって、電流の方向は交流電流と同様に周期的に反転する。流体または電解質成分が生理液、例えば、胃酸によってもたらされる導電性流体または電解質にシステムが達すると、異種物質１２４および１２６の間の電流経路がシステム１２０の外部に完成し、システム１２０を通る電流経路が制御デバイス１２８によって制御される。電流経路が完成すると電流が流れることが可能となり、また、図示しない、受信器が電流の存在を検出し、システム１２０が作動したことを判断することができ、所望のイベントが生じている、または生じたことを判断することができる。
【００９０】
一実施形態において、２つの異種物質１２４および１２６は直流電流源のために必要とされるバッテリー等の２つの電極と機能的に同様である。導電性液体は電源を完成するために必要とされる電解質の役目を果たす。記載した完成電源は、システム１２０の異種物質１２４および１２６と体の周囲流体との間の物理化学反応によって定義される。完成電源は、胃液や、血液や、または他の体液およびいくつかの組織等のイオン溶液または導電溶液内の反転電解を利用する電源として見ることができる。さらに、環境は身体以外の何かであってもよく、液体は任意の導電性液体であってもよい。例えば、導電性流体は、塩水や金属ベースの塗料であってもよい。
【００９１】
ある態様において、２つの異種物質１２４および１２６は追加層の物質によって周囲環境から遮蔽されている。したがって、遮蔽が溶解し、２つの異種物質１２４および１２６が標的部位に曝されると電圧電位が発生する。
【００９２】
ある態様において、完成電源または供給は、電流コレクタやパッケージング等の活性電極物質、電解質、および不活性物質でできている。活性物質は異なる電気化学電位を有する物質の任意のペアである。適切な物質は金属に反応せず、ある実施形態において、ペアとなる物質は、金属および非金属から選ばれ、例えば、金属（Ｍｇ等）と塩（ＣｕＩ等）で作られるペアである。活性電極物質に関し、物質と金属、塩、または適切な異なる電気化学電位（電圧）と低界面抵抗を有するインターカレーション化合物の任意のペアが適切である。
【００９３】
様々な異なる物質を、電極を形成する物質として使用することができる。ある実施形態において、電極物質は、標的生理的部位、例えば、胃と接すると、識別子のシステムを駆動するために十分な電圧をもたらすよう選択される。ある実施形態において、電源の金属と標的生理的部位の接触時に電極物質によってもたらされる電圧は０．００１Ｖ以上であり、０．０１Ｖ以上を含み、０．１Ｖ以上等であり、例えば、０．３Ｖ以上であり、０．５Ｖ以上を含み、１．０Ｖ以上を含み、ある実施形態において、電圧は、約０．００１から約１０Ｖの範囲であり、約０．０１から約１０Ｖ等である。
【００９４】
図４を参照すると、異種物質１２４および１２６は電圧電位をもたらし、制御デバイス１２８を作動する。一旦制御デバイス１２８が作動するまたは起動すると、制御デバイス１２８は、一意的な方法で、第１および第２の物質１２４、１２６の間のコンダクタンスを変えることができる。第１および第２の物質１２４、１２６の間のコンダクタンスを変えることによって、制御デバイス１２８はシステム１２０を囲む導電性液体を通る電流の強さを制御することが可能となる。これにより、体の内部または外部に設置することができる受信器（図示しない）によって検出および測定することができる一意的な電流署名を生成する。受信器は、２００９年１２月１５日に出願され、２０１０年１２月９日に２０１０−０３１２１８８Ａ１として公開された米国特許出願第１２／６７３，３２６号「身体に関連付けられた受信器および方法（ＢＯＤＹ−ＡＳＳＯＣＩＡＴＥＤ  ＲＥＣＥＩＶＥＲ  ＡＮＤ  ＭＥＴＨＯＤ）」により詳細に開示され、その全体が参照により本明細書に組み込まれる。物質間の電流経路の強さを制御することに加え、非導電性物質や、膜や、または「スカート」が電流経路の長さを増やすために使われ、したがって、コンダクタンス経路を増すために動作し、これは、２００８年９月２５日に出願された米国特許第１２／２３８，３４５号「仮想双極子信号増幅を用いる体内デバイス（Ｉｎ−Ｂｏｄｙ  Ｄｅｖｉｃｅ  ｗｉｔｈ  Ｖｉｒｔｕａｌ  Ｄｉｐｏｌｅ  Ｓｉｇｎａｌ  Ａｍｐｌｉｆｉｃａｔｉｏｎ）」で開示され、その全体の内容が参照により本明細書に組み込まれる。あるいは、本明細書の開示全体を通して、用語「非導電性物質」「膜」および「スカート」は、範囲、または本実施形態および本明細書の特許請求の範囲に影響することが無い限り、用語「電流経路エクステンダ」と区別無く使用される。１２５および１２７の部分に示すスカートは、それぞれ、フレームワーク１２２と関連づけられてもよく、例えば、フレームワーク１２２に固定することができる。スカートの様々な形状および構成は、本発明の様々な態様の範囲内として考えられる。例えば、システム１２０をスカートによって全体的または部分的に囲むことができ、スカートは、システム１２０の中心軸に沿って、または中心軸から外れて位置づけることができる。したがって、本明細書で記載された本発明の範囲は、スカートの形状またはサイズによって限定されない。さらに、他の実施形態において、異種物質１２４および１２６は、異種物質１２４および１２６の間に画定された任意の領域内に位置づけられた１つのスカートによって分離することができる。
【００９５】
システム１２０は接地接触部を通じて接地することができる。システム１２０はセンサモジュールを含んでもよい。動作中、第１の物質１２４から第２の物質１２６の間に、システム１２０と接触する導電性流体を通して、イオンまたは電流経路が確立される。第１および第２の物質１２４および１２６の間に生じる電圧電位は、第１および第２の物質１２４／１２６と導電性流体の間の化学反応を通じて生じる。一態様において、第１の物質１２４の表面は平面ではなく、むしろ、でこぼこした面である。でこぼこした面は物質の表面積を増し、したがって、導電性流体と接する面積が増す。
【００９６】
一態様において、第１の物質１２４の表面で、物質１２４と周囲の導電性流体の間で化学反応が起こり、物体が導電性流体に放出される。本明細書で使用される場合、用語「物体」は物質を形成する陽子および中性子に関する。１つの例は、物質がＣｕＣｌであり、導電性流体と接触すると、ＣｕＣｌが溶液中でＣｕ（固体）とＣｌ−となる例を含む。イオンの導電流体への流れはイオン経路を介する。同様にして、第２の物質１２６と周囲の導電性流体との間で化学反応があり、第２の物質１２６によってイオンが取り込まれる。第１の物質１２４でのイオンの放出と、第２の物質１２６によるイオンの取り込みは、まとめてイオン交換と呼ばれる。イオン交換の速度、つまり、イオン放出速度または流れは、制御デバイス１２８によって制御される。制御デバイス１２８は、第１および第２の物質１２４および１２６の間の、インピーダンスを変更するコンダクタンスを変更することによって、イオン流の速度を増加または減少することができる。イオン交換の制御を通じて、システム１２０はイオン交換処理における情報を符号化することができる。したがって、システム１２０は、イオン放出を用いて、イオン交換における情報を符号化する。
【００９７】
制御デバイス１２８は、固定されたイオン交換速度または電流の強さの存続期間を、速度や強さをほぼ一定に保持する間、周波数が変調されて振幅が一定である場合と同様に、変更することができる。また、制御デバイス１２８は、イオン交換速度または電流の強さのレベルを、その存続期間をほぼ一定に保持する間、変更することができる。したがって、存続期間を変更する様々な組合せを用いて速度または強さを変更することで、制御デバイス１２８は電流やイオン交換における情報を符号化する。例えば、制御デバイス１２８は、以下の技術のいずれか、つまり、２進位相シフトキーイング（ＰＳＫ）、周波数変調（ＦＭ）、振幅変調（ＡＭ）、オン−オフキーイング、およびオン−オフキーイングを用いるＰＳＫを用いることができるが、これらに限定されない。
【００９８】
様々な態様のシステム１２０は制御デバイス１２８の一部として電子部品を備えることができる。存在し得る構成要素には、論理要素および／またはメモリ要素、集積回路、インダクタ、抵抗器、および、様々なパラメータを測定するためのセンサがあるが、これらに限定されない。各構成要素はフレームワークおよび／または他の構成要素に固定することができる。支持部材の表面に存在する構成要素は任意の都合のよい構成で配置することができる。２つ以上の部品が固体の支持部材の表面に存在する場合、接続部を設けてもよい。
【００９９】
システム１２０は異種物質間のコンダクタンスを制御し、したがって、イオン交換の速度や電流を制御する。特定の方法でのコンダクタンスの変更を通じて、システムではイオン交換や電流署名における情報の符号化が可能となる。イオン交換や電流署名は特定のシステムを一意的に識別するために使われる。さらに、システム１２０は様々な異なる一意的な交換または署名を生成することが可能であり、したがって、さらなる情報を提供する。例えば、第２のコンダクタンス変更パターンに基づく第２の電流署名は、さらなる情報を提供するために使うことができ、その情報は物理的な環境に関連し得る。さらに示すように、第１の電流署名はチップ上の発振器を維持する非常に低い電流状態である可能性があり、第２の電流署名は第１の電流署名と関連づけられた電流状態より少なくとも１０倍高い電流状態である可能性がある。
【０１００】
ここで図１に戻って参照すると、モバイルコンピュータ５０はデータセンタ８０と通信する。データセンタ８０はデータベース８２と処理システム８４を含む。全ての患者と関連づけられた情報は、識別情報、ならびに薬の種類および服用量を含み、データベース８２に格納される。処理システム８４は、モバイルコンピュータ５０から情報を受信し、データセンタ８０のデータベース８２内の情報にアクセスし、モバイルコンピュータ５０を通じて医療提供者に情報を提供する。モバイルコンピュータ５０は、識別するための患者の写真、医療提供者に利用可能な薬の種類、ならびに医療提供者が選択して患者６０に提供する薬の種類と服用量の確認を含む情報を通信することができる。モバイルコンピュータ５０は、所定の時間遅れに周期的に基づく部位で利用可能な通信の任意のモードおよび周波数、例えば、無線、Ｇ２、Ｇ３、リアルタイム等を用いて、データセンタ８０と通信することができ、ならびに、後で格納して転送することができる。
【０１０１】
図１はモバイルコンピュータ５０の一態様を示す。様々な態様において、モバイルコンピュータ５０は無線デバイスを備えるか、または、無線デバイスにより実現することができる。
【０１０２】
一般に、モバイルコンピュータ５０は、所与の一組の設計パラメータや性能制約のために所望されるようなハードウェア、ソフトウェア、またはそれらの任意の組合せにより実現される様々な物理的要素または論理要素を備えることができる。様々な態様において、物理的要素または論理要素は１つまたは複数の通信媒体によって接続され得る。例えば、通信媒体は、所与の実装のために所望されるような有線通信媒体、無線通信媒体または両方の組合せを備えることができる。
【０１０３】
図のように、モバイルコンピュータ５０はディスプレイ５８を備えることができる。ディスプレイ５８は液晶ディスプレイ（ＬＣＤ）等の任意の種類の視覚インターフェースを用いて実現することができる。
【０１０４】
図のように、モバイルコンピュータ５０はメモリ１０２を備えることができる。様々な態様において、メモリ１０２は、揮発性と不揮発性メモリの両方を含む、データを格納可能な任意の機械読込み可能媒体またはコンピュータ読込み可能媒体を備えることができる。例えば、メモリには、読み出し専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲ−ＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能型ＲＯＭ（ＥＰＲＯＭ）、電気的消去書込み可能型ＲＯＭ（ＥＥＰＲＯＭ）、フラッシュメモリ（例えば、ＮＯＲまたはＮＡＮＤフラッシュメモリ）、内容検索型メモリ（ＣＡＭ）、高分子メモリ（例えば、強誘電体高分子メモリ）、相変化メモリ（例えば、オーボニックメモリ）、強誘電体メモリ、ＳＯＮＯＳ（ｓｉｌｉｃｏｎ−ｏｘｉｄｅ−ｎｉｔｒｉｄｅ−ｏｘｉｄｅ−ｓｉｌｉｃｏｎ）メモリ、ディスクメモリ（例えば、フロッピーディスク、ハードドライブ、光ディスク、磁気ディスク）、カード（例えば、磁気カード、光学カード）、または、情報を格納するために適切な他の任意の種類の媒体がある。
【０１０５】
モバイルコンピュータ５０は中央処理装置（ＣＰＵ）等のプロセッサ１００を備えることができる。様々な態様において、プロセッサ１００は、汎用プロセッサ、チップマルチプロセッサ（ＣＭＰ）、専用プロセッサ、組み込みプロセッサ、デジタル信号プロセッサ（ＤＳＰ）、ネットワークプロセッサ、メディアプロセッサ、入出力（Ｉ／Ｏ）プロセッサ、メディアアクセス制御（ＭＡＣ）プロセッサ、無線ベースバンドプロセッサ、コプロセッサ、マイクロプロセッサ、例えば、複合命令セットコンピュータ（ＣＩＳＣ）マイクロプロセッサ、縮小命令セットコンピューティング（ＲＩＳＣ）マイクロプロセッサ、および／または超長命令語（ＶＬＩＷ）マイクロプロセッサ等、または、他の処理デバイスとして実現してもよい。プロセッサ５１０も、コントローラ、マイクロコントローラ、特定用途向け集積回路（ＡＳＩＣ）、フィールドプログラマブルゲートアレー（ＦＰＧＡ）、プログラマブル論理デバイス（ＰＬＤ）等によって実現することができる。
【０１０６】
様々な態様において、プロセッサ１００はオペレーティングシステム（ＯＳ）および様々なモバイルアプリケーションを実行するために配置することができる。ＯＳの例には、例えば、マイクロソフト社のウィンドウズ（登録商標）ＯＳの製品名で一般的に知られるオペレーティングシステム、および、他の任意の独自ＯＳまたはオープンソースＯＳがある。モバイルアプリケーションの例には、例えば、電話アプリケーション、カメラ（例えば、デジタルカメラ、ビデオカメラ）アプリケーション、ブラウザアプリケーション、マルチメディアプレイヤーアプリケーション、ゲームアプリケーション、メッセージアプリケーション（例えば、電子メール、ショートメッセージ、マルチメディア）、ビューアーアプリケーション等がある。
【０１０７】
様々な態様において、プロセッサ１００は通信インターフェース１０４を通じて情報を受信するよう配置することができる。通信インターフェース１０４は、任意の適切なハードウェア、ソフトウェア、または、モバイルコンピュータ５０を１つまたは複数のネットワークおよび／またはデバイス、例えば、錠剤２０、タグ２２、デバイス４０、質問ユニット４６、患者識別情報判断デバイス７０、タグ３２、スリーブ３４、および／またはデータセンタ８０等に他のデバイスの間で結合することができるハードウェアとソフトウェアとの組合せを備えることができる。通信インターフェース１０４は、通信プロトコル、サービス、または動作プロシージャの所望の一組を用いて情報信号を制御するために任意の適切な技術を用いて動作するよう配置することができる。通信インターフェース１０４は適切な物理的コネクタを含み、対応する通信媒体と有線または無線のどちらかで接続することができる。
【０１０８】
通信媒体はネットワークを含む。様々な態様において、ネットワークは、インターネットと、有線チャネルと、無線チャネルと、電話、コンピュータ、有線、無線、光学、または他の電磁気チャネルを含む通信デバイスと、およびそれらの組合せとを含むがこれらに限定されず、データ通信可能な／データ通信と関連づけられた他のデバイスおよび／または構成要素を含む構内ネットワーク（ＬＡＮ）ならびに広域ネットワーク（ＷＡＮ）を備えることができる。例えば、通信環境には、体内通信と、様々なデバイスと、無線通信、有線通信、およびその組合せ等の通信の様々なモードとがある。
【０１０９】
無線通信モードには、少なくとも部分的には、様々なプロトコルと、ならびに無線送信、データ、およびデバイスと関連づけられたプロトコルの組合せとを含む無線技術を使用するポイント間の通信での任意のモードがある。例えば、ポイントには、無線ヘッドセット等の無線デバイス、オーディオプレーヤやマルチメディアプレイヤー等のオーディオおよびマルチメディアデバイスと設備、携帯電話やコードレス電話を含む電話、コンピュータ、およびプリンタ等のコンピュータ関連デバイスや構成要素がある。
【０１１０】
有線通信モードには、様々なプロトコルと、ならびに有線送信、データ、およびデバイスと関連づけられたプロトコルの組合せとを含む有線技術を使用するポイント間の通信での任意のモードがある。例えば、ポイントには、オーディオプレーヤやマルチメディアプレイヤー等のオーディオおよびマルチメディアデバイスと設備、携帯電話やコードレス電話を含む電話、コンピュータ、およびプリンタ等のコンピュータ関連デバイスや構成要素がある。
【０１１１】
したがって、様々な態様において、通信インターフェース１０４は、１つまたは複数のインターフェースを備えることができ、例えば、無線通信インターフェース、有線通信インターフェース、ネットワークインターフェース、送信インターフェース、受信インターフェース、メディアインターフェース、システムインターフェース、構成要素インターフェース、スイッチングインターフェース、チップインターフェース、およびコントローラ等がある。無線デバイスによってまたは無線システム内で実現されると、例えば、モバイルコンピュータ５０は、１つまたは複数のアンテナ、送信器、受信器、トランシーバ、増幅器、フィルタ、制御論理等を備える無線インターフェースを含むことができる。
【０１１２】
様々な実装において、記載した態様は、多くの無線プロトコルにより無線共有メディアにわたって通信することができる。無線プロトコルの例には、様々な無線構内ネットワーク（ＷＬＡＮ）プロトコルを含むことができ、ＩＥＥＥ８０２．１１ａ／ｂ／ｇ／ｎ、ＩＥＥＥ８０２．１６、ＩＥＥＥ８０２．２０等の米電気電子学会（ＩＥＥＥ）８０２．ｘｘシリーズのプロトコルがある。無線プロトコルの他の例には、様々な無線広域ネットワーク（ＷＷＡＮ）プロトコルがあり、ＧＰＲＳを有するＧＳＭセルラー無線電話システムプロトコル、１ｘＲＴＴを有するＣＤＭＡセルラー無線電話システム、ＥＤＧＥシステム、ＥＶ−ＤＯシステム、ＥＶ−ＤＶシステム、ＨＳＤＰＡシステム等がある。無線プロトコルのさらなる例として、無線パーソナルエリアネットワーク（ＰＡＮ）プロトコルを含むことができ、赤外線プロトコル、および拡張データレート（ＥＤＲ）を有するブルートゥース仕様書バージョンｖ１．０、ｖ１．１、ｖ１．２、ｖ２．０、ｖ２．０ならびに１つまたは複数のブルートゥースプロファイルを含むブルートゥース分科会（ＳＩＧ）シリーズのプロトコルからのプロトコル等がある。無線プロトコルのさらに他の例として、電磁誘導（ＥＭＩ）技術等の近距離無線通信技術およびプロトコルを含むことができる。ＥＭＩ技術の例として、受動または能動無線自動識別（ＲＦＩＤ）プロトコルおよびデバイスを含むことができる。他の適切なプロトコルとして、超広域帯無線技術（ＵＷＢ）、デジタルオフィス（ＤＯ）、デジタルホーム、トラステッドプラットフォームモジュール（ＴＰＭ）、およびＺｉｇＢｅｅ等を含むことができる。
【０１１３】
様々な実装において、記載した態様はセルラー通信システムの一部を備えることができる。セルラー通信システムの例には、ＣＤＭＡセルラー無線電話通信システム、ＧＳＭセルラー無線電話システム、北アメリカディジタル携帯電話（ＮＡＤＣ）セルラー無線電話システム、時分割多元接続（ＴＤＭＡ）セルラー無線電話システム、拡張ＴＤＭＡ（Ｅ−ＴＤＭＡ）セルラー無線電話システム、狭帯域新型移動電話サービス（ＮＡＭＰＳ）セルラー無線電話システム、第三世代パートナーシッププロジェクト（３ＧＰＰ）に準拠したＷＣＤＭ、ＣＤＭＡ−２０００、ＵＭＴＳセルラー無線電話システム等の第３世代（３Ｇ）システム等を含むことができる。
【０１１４】
様々な態様において、モバイルコンピュータ５０は、例えば、生理学的データ等のデータを無線受信および／または無線送信するための機能性を含む。
【０１１５】
さらに、様々な態様において、モバイルコンピュータ５０は、様々なデバイスに組み込まれ、および／または様々なデバイスと関連づけられ、例えば、様々なデバイスと通信することができる。そのようなデバイスは、データ、例えば、生理学的データ等を生成、受信、および／または通信することができる。例えば、デバイスには、ゲームデバイス等の「インテリジェント」デバイスがあり、ゲームデバイスには、例えば、電子スロットマシン、携帯用電子ゲーム、およびゲームやレクリエーション活動と関連づけられた電子構成品がある。
【０１１６】
モバイルコンピュータ５０は携帯電話として実現することができる。例えば、モバイルコンピュータ５０は特定のセルサイト基地局のネットワークでモバイル音声またはデータ通信を行うために使用される短距離携帯用電子機器として実現することができる。携帯電話は、「モバイル」、「セルラーフォン」、「セルフォン」、または「ハンドフォン（ＨＰ）」として知られる、または呼ばれることがある。
【０１１７】
電話の標準音声機能に加えて、様々な態様の携帯電話が、多くの追加サービスおよびアクセサリをサポートすることができ、そのようなサービスおよびアクセサリには、テキストメッセージのためのショートメッセージサービス（ＳＭＳ）、電子メール、インターネットへアクセスするためのパケットスイッチング、ｊａｖａゲーム、無線、例えば、短距離データ／音声通信、赤外線、ビデオレコーダを有するカメラ、写真やビデオの送信や受信のためのマルチメディアメッセージシステム（ＭＭＳ）等がある。いくつかの態様の携帯電話は、基地局（セルサイト）のセルラーネットワークに接続し、公衆電話交換回線網（ＰＳＴＮ）または衛星電話の場合の衛星通信に相互接続される。様々な態様の携帯電話はインターネットに接続でき、その少なくとも一部は、携帯電話を用いて見て回ることができる。
【０１１８】
いくつかの実施形態は、例えば、機械読込み可能メディアまたはアーティクルを使用して実現され、この機械読込み可能メディアまたはアーティクルは、機械により実行されたときに、機械に、実施形態による方法および／または動作を実行させることができる１つの命令または一組みの命令を格納する場合がある。そのような機械とは、例えば任意の適切な処理プラットフォーム、コンピューティングプラットフォーム、コンピューティングデバイス、処理デバイス、コンピューティングシステム、処理システム、コンピュータ、プロセッサ等を含むことができ、ハードウェアおよび／またはソフトウェアの任意の適切な組み合わせを用いて実現することができる。機械読込み可能メディアまたはアーティクルは、例えば、任意の適切な種類のメモリユニット、メモリデバイス、メモリアーティクル、メモリメディア、ストレージデバイス、ストレージアーティクル、ストレージメディアおよび／またはストレージユニットを含むことができ、例えば、メモリ、取り外し可能または取り外し不可能なメディア、消去可能なまたは消去不可能なメディア、書込み可能または再書込み可能メディア、デジタルまたはアナログメディア、ハードディスク、フロッピーディスク、コンパクトディスクリードオンリメモリ（ＣＤ−ＲＯＭ）、コンパクトディスクレコーダブル（ＣＤ−Ｒ）、コンパクトディスクリライタブル（ＣＤ−ＲＷ）、光ディスク、磁気メディア、磁気−光メディア、取り外し可能なメモリカードまたはディスク、様々な種類のデジタル多用途ディスク（ＤＶＤ）、テープ、カセット等を含むことができる。命令は、ソースコード、コンパイル型コード、インタープリタ型コード、実行可能コード、スタティックコード、ダイナミックコード等の任意の適切な種類を含む場合がある。命令は、任意の適切な高レベル、低レベル、オブジェクト指向、ビジュアル、コンパイル型、および／またはインタープリタ型プログラム言語を用いて実現することができ、そのようなプログラム言語には、Ｃ、Ｃ＋＋、Ｊａｖａ、ＢＡＳＩＣ、Ｐｅｒｌ、Ｍａｔｌａｂ、Ｐａｓｃａｌ、ＶｉｓｕａｌＢＡＳＩＣ、アセンブリ言語、機械語等がある。
【０１１９】
本発明は、記載された特定の実施形態または態様に限定されず、したがって、変更可能であることが理解されよう。本明細書で使用した専門用語は、本発明の範囲は添付の特許請求の範囲によってのみ限定されるため、特定の実施形態のみを記述する目的のためであり、限定することを意図しないことも理解されよう。
【０１２０】
値の範囲が提供される場合、文脈によって別途明示的に示されない限り、下限の単位の１０分の１まで、その範囲の上限と下限との間の各介在値と、その規定範囲内の任意の他の規定値または介在値とが、本発明の範囲内に包含されることを理解されたい。これらのより小範囲の上限および下限は、独立して、そのより小範囲内に含まれてもよく、また、本発明の範囲内に包含されるが、規定範囲内の任意の具体的に除外される極限の制限を受ける。規定範囲が、極限の一方または両方を含む場合、極限に含まれるそれらの一方または両方を除外する範囲もまた、本発明に含まれる。
【０１２１】
別途定義されない限り、本明細書で使用される技術的および科学的用語はすべて、本発明が属する当業者によって一般的に理解されるものと同一意味を有する。本明細書に記載されるものと類似または同等の任意の方法および物質もまた、本発明の実践または試験で使用可能であるが、代表的例証方法および物質が記載される。
【０１２２】
本明細書に引用される刊行物および特許はすべて、各個々の刊行物または特許が、参照することによって組み込まれるように具体的かつ個々に示される場合と同様に、参照することによって本明細書に組み込まれ、それと関連して刊行物が引用される方法および／または物質を開示ならびに説明するように参照することによって本明細書に組み込まれる。任意の刊行物の引用は、出願日前のその開示のものであって、本発明が、先行発明を理由として、そのような刊行物に先行する権限がないものの承認として解釈されるべきではない。さらに、提供される刊行物の日付は、実際の公開日と異なる場合があって、個別に確認される必要があり得る。
【０１２３】
本明細書および添付の請求項で使用されるように、単数形「ａ」、「ａｎ」、および「ｔｈｅ」は、文脈によって別途明確に示されない限り、複数参照を含むことに留意されたい。さらに、請求項は、任意の任意選択要素を除外して草案され得ることに留意されたい。したがって、本記述は、請求要素の列挙または「負」の制限の使用と関連する「唯一」、「だけ」等の排他的用語の使用のための先行詞としての役割を果たすことが意図される。
【０１２４】
本開示の熟読によって当業者には明白となるように、本明細書に記載および例証される個々の実施形態はそれぞれ、個別の構成要素および特徴を有し、本発明の範囲または精神から逸脱することなく、他のいくつかの実施形態のいずれかの特徴から容易に分離される、またはそれと組み合わせられてもよい。任意の列挙される方法は、列挙される事象の順番または論理的に可能な任意の他の順番で実行可能である。
【０１２５】
別に明確に述べられない場合、用語「処理」、「演算」、「計算」、「決定」等は、コンピュータ、コンピュータシステム、または同様の電子式コンピューティングデバイスであって、コンピュータシステムのレジスタおよび／またはメモリ内で（例えば、電子的な）物理量として表されたデータをコンピュータシステムのメモリ、レジスタ、または他の情報ストレージ、送信またはディスプレーデバイス内で同様に物理的な量として表される他のデータへ操作および／または変形させるものをいう。
【０１２６】
実施形態の万全な理解を提供するために本明細書に多数の特定の詳細を特定的に記載した。しかしながら、これらの特定の詳細なしで実施形態を実施できることは当業者によって理解されるであろう。他の例では、よく知られる動作、構成要素、および回路は、実施形態をあいまいにしないために詳細に説明されていない。本明細書に開示された特定の構造的で機能的な詳細は代表的なものであり、必ずしも実施形態の範囲を制限するわけではないことが理解できる。
【０１２７】
上述の発明は、理解を明確にする目的のために、例証および例として、ある程度詳細に記載されたが、添付の特許請求の範囲の範囲から逸脱することなく、ある変更および修正が行われてもよいことは、本発明の教示に照らして、当業者には容易に明白である。
【０１２８】
故に、上述は、本発明の原理を例証するにすぎない。当業者は、本明細書では明示的に説明または図示されないが、本発明の原理を具現化する種々の構成を考案可能であって、それらはその精神および範囲内に含まれることを理解されるであろう。さらに、本明細書に列挙される例および条件的用語はすべて、原則として、発明者らによって貢献される本発明の原理および概念を読者が理解し、本技術分野を促進する際の補助として意図され、そのような具体的に列挙される例および条件に限定されるものではないものと解釈されたい。さらに、本発明の原理、態様、および実施形態、ならびにその具体的な例を列挙する本明細書における記述はすべて、その構造および機能の両方の均等物を包含するものと意図される。加えて、そのような均等物は、現在周知の均等物および将来的に開発される均等物、すなわち、構造にかかわらず、同一機能を果たすように開発される任意の要素の両方を含むものと意図される。したがって、本発明の範囲は、本明細書に図示および記載される例示的実施形態に限定されるものとして意図されない。むしろ、本発明の範囲および精神は、添付の特許請求の範囲によって具現化される。
【０１２９】
本出願は、本明細書に参照により全体が組み込まれる２０１０年５月１９日に出願された米国仮出願第６１／３４６，０３５号「医薬品の追跡および提供判断（Ｔｒａｃｋｉｎｇ  ａｎｄ  Ｄｅｌｉｖｅｒｙ  Ｃｏｎｆｉｒｍａｔｉｏｎ  ｏｆ  Ｐｈａｒｍａｃｅｕｔｉｃａｌ  Ｐｒｏｄｕｃｔｓ）」の利益を主張するものである。
【図１】
2013529117.tif 000004
【図２Ａ】
2013529117.tif 000005
【図２Ｂ】
2013529117.tif 000006
【図２Ｃ】
2013529117.tif 000007
【図３】
2013529117.tif 000008
【図４】
2013529117.tif 000009
【国際調査報告】
2013529117.tif 000010
2013529117.tif 000011